(57)【要約】【課題】  晴眼者が点字部の存在やその位置を容易に認識可能な処理シートを、簡易に作成できる文字情報処理装置、文字情報処理方法、プログラムおよび記憶媒体を提供する。【解決手段】  処理シートに対して１以上のマスから成る点字列を打刻する点字打刻と前記処理シートに対する墨字印刷とが可能な文字情報処理を行うに際して、点字のマスサイズおよびマス間サイズを含む点字仕様に従って前記点字列の背景模様となる地紋の地紋データを記憶しておき、前記墨字印刷として前記地紋データに従って前記地紋を印刷することを特徴とする。【選択図】  図３０
2006248106.tif 000002
【特許請求の範囲】
【請求項１】
処理シートに対して１以上のマスから成る点字列を打刻する点字打刻と前記処理シートに対する墨字印刷とが可能な文字情報処理装置であって、
前記点字打刻を行う打刻手段と、
前記墨字印刷を行う印刷手段と、
点字のマスサイズおよびマス間サイズを含む点字仕様に従って前記点字列の背景模様となる地紋の地紋データを記憶する地紋記憶手段と、
前記打刻手段および前記印刷手段を制御する制御手段と、
を備え、
前記制御手段は、前記地紋データに従って前記印刷手段に前記地紋を印刷させる地紋印刷制御手段を有することを特徴とする文字情報処理装置。
【請求項２】
前記地紋記憶手段は、前記地紋データとして複数種を記憶しており、
前記制御手段は、前記地紋データの複数種から１種を選択する地紋選択手段をさらに有することを特徴とする、請求項１に記載の文字情報処理装置。
【請求項３】
前記地紋データの複数種には、前記墨字印刷により印刷される墨字列の背景模様とも成り得る地紋の地紋データの１種以上が含まれることを特徴とする、請求項２に記載の文字情報処理装置。
【請求項４】
前記点字仕様に従って前記点字列を囲むための点字枠の点字枠データを複数種記憶する点字枠記憶手段をさらに備え、
前記制御手段は、
前記点字枠データの複数種から１種を選択する点字枠選択手段と、
選択された前記点字枠データに従って前記印刷手段に前記点字枠を印刷させる点字枠印刷制御手段と、
をさらに有することを特徴とする、請求項１ないし３のいずれかに記載の文字情報処理装置。
【請求項５】
前記点字枠データの複数種には、前記地紋の範囲の外縁に沿った点字枠の点字枠データの１種以上が含まれることを特徴とする、請求項４に記載の文字情報処理装置。
【請求項６】
前記点字枠データの複数種には、前記墨字印刷により印刷される墨字列も内部に囲むための点字枠の点字枠データの１種以上が含まれることを特徴とする、請求項４または５に記載の文字情報処理装置。
【請求項７】
前記墨字印刷により印刷される墨字の文字サイズおよび文字間サイズを含む墨字仕様に従って１以上の墨字から成る墨字列を囲むための墨字枠の墨字枠データを複数種記憶する墨字枠記憶手段をさらに備え、
前記制御手段は、
前記墨字枠データの複数種から１種を選択する墨字枠選択手段と、
前記墨字枠データに従って前記印刷手段に前記墨字枠を印刷させる墨字枠印刷制御手段と、
をさらに有することを特徴とする、請求項１ないし６のいずれかに記載の文字情報処理装置。
【請求項８】
前記制御手段は、前記点字列の存在を示す注記を前記印刷手段に印刷させる注記印刷制御手段をさらに有することを特徴とする、請求項１ないし７のいずれかに記載の文字情報処理装置。
【請求項９】
処理シートに対して１以上のマスから成る点字列を打刻する点字打刻と前記処理シートに対する墨字印刷とが可能な文字情報処理方法であって、
点字のマスサイズおよびマス間サイズを含む点字仕様に従って前記点字列の背景模様となる地紋の地紋データを記憶しておき、前記墨字印刷の少なくとも一部として前記地紋データに従って前記地紋を印刷することを特徴とする文字情報処理方法。
【請求項１０】
請求項１ないし８のいずれかに記載の文字情報処理装置を機能させることを特徴とするプログラム。
【請求項１１】
請求項１０に記載のプログラムを、プログラム処理可能な装置によって読出可能に記憶することを特徴とする記憶媒体。
【発明の詳細な説明】
【技術分野】
【０００１】
本発明は、共通の処理シートに墨字の印刷と点字の打刻とを行う文字情報処理装置、文字情報処理方法、プログラムおよび記憶媒体に関する。
【背景技術】
【０００２】
従来、視覚障害者が認識（触読）可能な点字と、晴眼者が視認可能な墨字とを、同一の処理シート（テープ等）に対して並べて（または重ねて）配置して、視覚障害者と晴眼者の両者が認識可能な処理シート（点字ラベル）が知られている（例えば、特許文献１参照）。また、墨字印刷と点字打刻とを同一の文字情報に基づいて実行して、それらが並ぶ処理シートを作成できる文字情報処理装置も知られている（例えば、特許文献２参照）。
【特許文献１】特開平１０−２７５２０６号公報
【特許文献２】特開平１１−３０１０３３号公報
【発明の開示】
【発明が解決しようとする課題】
【０００３】
ところで、点字は触読されるため色は付されないので、テープ色によっては見にくく（例えば銀色等では点字凸部が見にくいなど）、晴眼者が上述のような点字ラベルを見ても、打刻された点字列の部分（点字部）を見逃す場合がある。このため、点字部の前や上などに物を置いたり、ときには乱雑に扱って点字凸部を潰してしまって、触読できなくしてしまうこともあった。
【０００４】
本発明は、晴眼者が点字部の存在やその位置を容易に認識可能な処理シートを、簡易に作成できる文字情報処理装置、文字情報処理方法、プログラムおよび記憶媒体を提供することを目的とする。
【課題を解決するための手段】
【０００５】
本発明の文字情報処理装置は、処理シートに対して１以上のマスから成る点字列を打刻する点字打刻と前記処理シートに対する墨字印刷とが可能な文字情報処理装置であって、前記点字打刻を行う打刻手段と、前記墨字印刷を行う印刷手段と、点字のマスサイズおよびマス間サイズを含む点字仕様に従って前記点字列の背景模様となる地紋の地紋データを記憶する地紋記憶手段と、前記打刻手段および前記印刷手段を制御する制御手段と、を備え、前記制御手段は、前記地紋データに従って前記印刷手段に前記地紋を印刷させる地紋印刷制御手段を有することを特徴とする。
【０００６】
また、本発明の文字情報処理方法は、処理シートに対して１以上のマスから成る点字列を打刻する点字打刻と前記処理シートに対する墨字印刷とが可能な文字情報処理方法であって、点字のマスサイズおよびマス間サイズを含む点字仕様に従って前記点字列の背景模様となる地紋の地紋データを記憶しておき、前記墨字印刷の少なくとも一部として前記地紋データに従って前記地紋を印刷することを特徴とする。
【０００７】
これらによれば、墨字印刷を用いて点字列の部分（点字部）の背景模様となる地紋を容易に印刷でき、その地紋の範囲内に点字を打刻できるとともに、その地紋は、文字高サイズや文字幅サイズや文字間サイズ等々の墨字用の各種の印刷サイズに合う墨字用の地紋（墨字用地紋）の流用でなく、点字仕様のマスサイズやマス間サイズの仕様に従った点字用の地紋（点字用地紋）の地紋データに基づいて印刷するので、点字独特のサイズに合う点字用地紋を容易に配置・印刷することができ、この点字用地紋の印刷によって、晴眼者が点字部の存在やその位置を容易に認識可能な処理シートを、簡易に作成できる。
【０００８】
また、上述の文字情報処理装置において、前記地紋記憶手段は、前記地紋データとして複数種を記憶しており、前記制御手段は、前記地紋データの複数種から１種を選択する地紋選択手段をさらに有することが好ましい。
【０００９】
これによれば、地紋データとなる複数種から１種を選択できるので、好みや目的等に合わせて所望の地紋を選択して印刷でき、さらに容易に認識可能な処理シートを、簡易に作成できる。
【００１０】
また、上述の文字情報処理装置において、前記地紋データの複数種には、前記墨字印刷により印刷される墨字列の背景模様とも成り得る地紋の地紋データの１種以上が含まれることが好ましい。
【００１１】
これによれば、墨字列の背景模様とも成り得る地紋（の地紋データ）を選択することで、同じ地紋の範囲内に墨字部と点字部とを一緒に配置した処理シートを、簡易に作成できる。
【００１２】
また、上述の文字情報処理装置において、前記点字仕様に従って前記点字列を囲むための点字枠の点字枠データを複数種記憶する点字枠記憶手段をさらに備え、前記制御手段は、前記点字枠データの複数種から１種を選択する点字枠選択手段と、選択された前記点字枠データに従って前記印刷手段に前記点字枠を印刷させる点字枠印刷制御手段と、をさらに有することが好ましい。
【００１３】
これによれば、地紋だけでなく、点字仕様に従った点字枠も印刷できるので、この点字枠の印刷によって、晴眼者が点字部の存在やその位置を、さらに容易且つ明確に認識可能な処理シートを、簡易に作成できる。
【００１４】
また、上述の文字情報処理装置において、前記点字枠データの複数種には、前記地紋の範囲の外縁に沿った点字枠の点字枠データの１種以上が含まれることが好ましい。
【００１５】
これによれば、地紋の外縁に沿った点字枠を印刷できるので、地紋をさらにくっきりと目立たせることができ、これによって、点字部の存在やその位置を、さらに容易且つ明確に認識可能とすることができる。
【００１６】
また、点字枠データの複数種から１種を選択可能な上述の各文字情報処理装置において、前記点字枠データの複数種には、前記墨字印刷により印刷される墨字列も内部に囲むための点字枠の点字枠データの１種以上が含まれることが好ましい。
【００１７】
これによれば、墨字列も内部に囲む点字枠（の点字枠データ）を選択することで、墨字部と点字部とを一緒に枠囲いした処理シートを、簡易に作成できる。
【００１８】
また、上述の各文字情報処理装置において、前記墨字印刷により印刷される墨字の文字サイズおよび文字間サイズを含む墨字仕様に従って１以上の墨字から成る墨字列を囲むための墨字枠の墨字枠データを記憶する墨字枠記憶手段をさらに備え、前記制御手段は、前記墨字枠データに従って前記印刷手段に前記墨字枠を印刷させる墨字枠印刷制御手段をさらに有することが好ましい。
【００１９】
これによれば、墨字仕様に従ったサイズに合う墨字枠を、容易に配置・印刷できるので、点字用地紋や点字枠により晴眼者が点字部の存在やその位置を容易に認識可能としつつ、墨字や墨字枠との組合せにより多彩な処理シートを、簡易に作成できる。
【００２０】
また、上述の文字情報処理装置において、前記墨字枠記憶手段は、前記墨字枠データとして複数種を記憶しており、前記制御手段は、前記墨字枠データの複数種から１種を選択する墨字枠選択手段をさらに有することが好ましい。
【００２１】
これによれば、墨字枠データとなる複数種から１種を選択できるので、好みや目的等に合わせて所望の墨字枠を選択して印刷でき、多彩な処理シートを、簡易に作成できる。
【００２２】
また、上述の各文字情報処理装置において、前記制御手段は、前記点字列の存在を示す注記を前記印刷手段に印刷させる注記印刷制御手段をさらに有することが好ましい。
【００２３】
これによれば、点字列の存在を示す注記を印刷するので、晴眼者がさらに容易に点字部の存在やその位置を認識可能な処理シートを、簡易に作成できる。
【００２４】
また、本発明のプログラムは、上述のいずれかの文字情報処理装置を機能させること、または、上述の文字情報処理方法を実行可能なことを特徴とする。また、本発明の記憶媒体は、上述のプログラムを、プログラム処理可能な装置によって読出可能に記憶することを特徴とする。
【００２５】
このプログラムでは、上述のいずれかの文字情報処理装置を機能させることができるので、または、上述の文字情報処理方法を実行可能なので、プログラム処理可能な装置によって処理されることにより、または、プログラム処理可能な装置によって記憶媒体に記憶されたプログラムを読み出して実行することにより、晴眼者が点字部の存在やその位置を容易に認識可能な処理シートを、簡易に作成できる。
【発明を実施するための最良の形態】
【００２６】
以下、本発明の一実施形態に係るラベル作成装置（文字情報処理装置）について、添付図面を参照しながら詳細に説明する。
【００２７】
図１および図２に示すように、このラベル作成装置１は、装置ケース２により外郭が形成され、装置ケース２の前部上面には各種入力キーを備えたキーボード３が配置されると共に、後部上面には開閉蓋２１が取り付けられ、開閉蓋２１の表側には長方形のディスプレイ４が配設されている。
【００２８】
また、開閉蓋２１の内側には、テープカートリッジＣから繰り出されるテープＴに対して墨字印刷（文字や記号等のキャラクタの印刷）を行う墨字印刷部１２０が組み込まれ、テープカートリッジＣを装着するためのカートリッジ装着部６が窪入形成されており、テープカートリッジＣは、蓋体開放ボタン１４の押下により開閉蓋２１が開放された状態でカートリッジ装着部６に着脱自在に装着される。また、開閉蓋２１には、これを閉止した状態でテープカートリッジＣの装着／非装着を視認するための覗き窓２１ａが形成されている。
【００２９】
また、開閉蓋２１の右側（装置ケース２の後半右部）には、その内部に点字打刻を行うアッセンブリ（点字打刻部１５０：図２右上に図示）が組み込まれ、その上面にはこれを覆うように打刻部カバー３０が取り付けられている。また、この打刻部カバー３０の手前側には、ユーザによりテープ（処理シート）Ｔが手差し挿入される打刻テープ挿入口３１が、また奥側には、打刻後のテープＴが排出される打刻テープ排出口３２が、テープ走行路（送り経路）７０に沿って下り傾斜となるように、それぞれ窪入形成されている。さらに、打刻テープ挿入口３１付近には、テープ幅方向に幅調整可能な手差しガイド３１ａが設けられている。
【００３０】
点字打刻部１５０は、３個の打刻ピン（打刻ヘッド）４１（図５（ｂ）参照）により点字打刻を行う打刻ユニット８０と、打刻テープ挿入口３１に挿入されたテープＴを打刻テープ排出口３２に向けて送るテープ送りユニット（テープ送り機構）６０と、テープＴが搬送されるテープ走行路７０とを有し、テープ走行路７０を構成する装置フレーム片６５にこれらのユニットが組み込まれて打刻アッセンブリが構成され、装置ケース２に一体として装着されるようになっている。また、テープ走行路７０に沿ってテープ送りユニット６０の駆動により送られていくテープＴに対し、打刻ユニット８０により３個の打刻ピン４１を選択的に駆動することで点字Ｂが形成される。
【００３１】
装置ケース２の右側部中央には、電源供給のための電源供給口１１が形成されるとともに、前半右側部には、パソコン等の外部装置（データサーバＤＳ：図７〜図８参照）と接続するための接続口（インタフェース）１２が形成され、接続することにより、データサーバＤＳからの文字情報に基づいて墨字印刷や点字打刻を行い得るようになっている。また、装置ケース２の左側部には、カートリッジ装着部６と外部とを連通する印刷テープ排出口２２が形成され、この印刷テープ排出口２２には、墨字印刷部１２０から送り出したテープＴを切断するための切断部１４０が臨んでいる。そして、切断部１４０によりテープＴの後端部が切断されることにより、印刷テープ排出口２２から墨字印刷後のテープＴが排出される。
【００３２】
また、ラベル作成装置１は、図３に示すように、制御系から見た基本的な構成として、キーボード３およびディスプレイ４を有して、文字情報の入力や各種情報の表示などマンマシンインタフェースを司る操作部１１０と、テープカートリッジＣ、印刷ヘッド７および印刷送りモータ１２１を有して、テープＴおよびインクリボンＲを搬送しながらテープＴ上に墨字印刷を行う墨字印刷部１２０と、フルカッタ１４２およびハーフカッタ１４４並びにこれらをそれぞれ駆動するフルカッタモータ１４１およびハーフカッタモータ１４３を有して、印刷済みテープＴを切断する切断部１４０と、を備えている。
【００３３】
また、ソレノイド４７、打刻ピン４１および打刻送りモータ１５１を有して、テープＴを搬送しながらテープＴに点字打刻を行う点字打刻部１５０と、テープＴ（テープカートリッジＣ）の種別を検出するテープ識別センサ１７１、点字打刻部１５０においてテープＴの先端を検出する例えば透過型の先端検出センサ１７２、同じく点字打刻部１５０において周囲温度（環境温度）を検出する温度検出センサ１７３、印刷送りモータ１２１の回転速度を検出する印刷部回転速度センサ１７４、および打刻送りモータ１５１の回転速度を検出する打刻部回転速度センサ１７５を有して、各種検出を行う検出部１７０と、をさらに備えている。
【００３４】
また、ディスプレイドライバ１８１、ヘッドドライバ１８２、印刷送りモータドライバ１８３、カッタモータドライバ１８４、打刻ドライバ１８５および打刻送りモータドライバ１８６を有し、各部を駆動する駆動部１８０と、電源供給口１１と接続され、各部に電力を供給する電源部１９０と、インタフェースＩＦを介してデータサーバＤＳとの通信を行うデータ供給インタフェース（ＤＳ−ＩＦ）１００と、各部と接続され、ラベル作成装置１全体を制御する制御部２００と、をさらに備えている。
【００３５】
制御部２００は、ＣＰＵ２１０、ＲＯＭ２２０、ＲＡＭ２３０および入出力制御装置（以下、「ＩＯＣ：Input Output Controller」という）２５０を備え、互いに内部バス２６０により接続されている。ＲＯＭ２２０は、墨字印刷処理や点字打刻処理等の各種処理をＣＰＵ２１０で制御するための制御プログラムを記憶する制御プログラムブロック２２１と、墨字印刷を行うための文字フォントデータや点字打刻を行うための点字フォントデータの他、印刷制御や打刻制御のための制御データ等を記憶する制御データブロック２２２とを有している。
【００３６】
ＲＡＭ２３０は、汎用フラグやレジスタ等として使用されるフラグエリアブロック２３１の他、墨字情報（墨字文字列（墨字列）用のテキストデータや墨字画像データを含む）を記憶する墨字データブロック２３２と、点字情報（点訳文字列用のテキストデータ、マスイメージ画像データ、点字画像データ、それを１８０°回転させた状態の反転点字画像データＢ´（図１１参照）等を含む）を記憶する点字データブロック２３３と、ディスプレイ４に表示するための表示画像データを記憶する表示データブロック２３４と、設定された墨字印刷領域（印刷領域、印刷配置部）Ｅｐと点字打刻領域（打刻領域、打刻配置部）Ｅｂのレイアウトを記憶するレイアウトブロック２３５と、その他の汎用のワークエリアとなる各種ワークエリアブロック２３６と、を有し、制御処理のための作業領域として使用される。また、ＲＡＭ２３０は電源が切断されても記憶したデータを保持しておくように常にバックアップされている。
【００３７】
ＩＯＣ２５０には、ＣＰＵ２１０の機能を補うと共に各種周辺回路とのインタフェース信号を取り扱うための論理回路が、ゲートアレイやカスタムＬＳＩなどにより構成されて組み込まれている。例えば基本クロックの分周信号をカウントして種々の計時を行うタイマ２５１なども組み込まれている。これにより、ＩＯＣ２５０は、キーボード３からの入力データや制御データあるいは検出部１７０からの各種センサ値の他、ＤＳ−ＩＦ１６と接続され、データサーバＤＳからの制御信号や各種（ダウンロード）データなどを、そのまま或いは加工して内部バス２６０に取り込むと共に、ＣＰＵ２１０と連動して、ＣＰＵ２１０から内部バス２６０に出力されたデータや制御信号を、そのまま或いは加工して駆動部１８０やＤＳ−ＩＦ１００に出力する。
【００３８】
そして、ＣＰＵ２１０は、上述の構成により、ＲＯＭ２２０内の制御プログラムに従って、ＩＯＣ２５０を介してラベル作成装置１内の各部から各種信号・データを入力するとともに、入力した各種信号・データに基づいてＲＡＭ２３０内の各種データを処理し、ＩＯＣ２５０を介してラベル作成装置１内の各部に各種信号・データを出力することにより、墨字印刷処理や点字打刻処理の制御などを行う。
【００３９】
例えば、ＣＰＵ２１０は、キーボード３より文字情報（墨字列テキストデータ等）が入力されると、これに基づいて墨字（画像データ）Ｐおよび点字（画像データ）Ｂを生成し、必要に応じて両画像データ間での長さ等の調整を行うとともに、反転点字（画像データ）Ｂ’を用意する（図１１参照）。また、調整前または調整後の墨字（画像データ：余白データを含む）Ｐを墨字データブロック２３２に記憶すると共に、同じく調整前または調整後の点字（画像データ：余白データを含む）Ｂおよび反転点字（画像データ）Ｂ’を点字データブロック２３３に記憶する。
【００４０】
また、キーボード３から墨字印刷および点字打刻の指示を取得すると、印刷送りモータ１２１の駆動を開始し、印刷部回転速度センサ１７２の検出結果に応じて印刷ヘッド７を駆動することにより、墨字Ｐの墨字印刷を行う。その後、必要に応じて調整済みの所定長さのテープ送りを行い、フルカッタ１４２によりテープ後端部を切断して、印刷テープ排出口２２からテープＴを排出する。
【００４１】
図１〜図３を参照して、さらに詳述する。上述の状態から、引き続き（リセット操作や電源オフ操作が無い状態で）、ユーザによる手差し挿入により、短冊状に切断されたテープＴが打刻テープ挿入口３１に挿入されると、打刻ユニット８０およびテープ送りユニット６０を駆動することにより、点字Ｂ（または反転点字Ｂ′）の点字打刻を行う。そして、打刻終了後、打刻送りモータ１５１の駆動により、必要に応じて調整済みの所定長さのテープ送りを行って、打刻テープ排出口３２からテープＴを排出する。
【００４２】
ここで、図４を参照し、テープＴ上に形成される点字Ｂ（６点点字Ｂ）について説明する。
【００４３】
点字器や点字タイプライタ等で慣用されている１文字（１マス）や文字間（マス間）の仕様（以下「民間仕様」）によれば、同図に示すように、６点点字Ｂは、縦３個×横２個の６個の点（打刻ポイント：いわゆる「１の点」〜「６の点」と呼ばれる６個の点：図右上に注記）で１マス２０１が構成され、６個の点のうちの打刻点および非打刻点のパターンにより、この１マス２０１で、１文字や濁点その他の属性を表現するものである。例えば図４（ａ）は、１の点、２の点、５の点、６の点を打刻点とし、３の点、４の点を非打刻点とすることにより、文字情報「し」を表現する点字Ｂを示す図である。
【００４４】
６点点字Ｂは、１マス２０１が縦３個×横２個の配置パターンで６個の打刻ポイント２０１ａ〜２０１ｆに分割されており、縦方向のピッチが略２．４ｍｍ、マス内の横方向のピッチが略２．１ｍｍ、マス間のピッチは略３．３ｍｍとなっている。同図では、６個の打刻ポイント２０１ａ〜２０１ｆのうち「し」を表現すべく４個の打刻ポイント２０１ａ、２０１ｂ、２０１ｅ、２０１ｆが選択的に打刻されて、テープＴ上に例えば角の丸まった円筒形、半球形、円錐形、四角錐形等の断面形状で打刻高さＨｂ（図４（ｂ）参照）の４個の打刻凸部２０２ａ、２０２ｂ、２０２ｅ、２０２ｆが形成されている。なお、６点点字Ｂを打刻するために、１マス２０１の大きさ（テープ幅方向長さ）から換算して、テープ幅１２ｍｍ（後述のテープＴ３）以上のテープＴを用意している。
【００４５】
また、ラベル作成装置１では、打刻ユニット８０として相互に交換可能な２種類のユニットが用意されており、一方は直径が略１．４ｍｍの小形の小打刻凸部２０３を形成し、他方は直径が略１．８ｍｍの大形の大打刻凸部２０４を形成する。大小２種類の打刻凸部２０３、２０４は、その用途によって使い分けられるものであり、例えば、小打刻凸部２０３が点字Ｂの読み取りに慣れた者（先天盲者）向けであって、大打刻凸部２０４が初心者（中途失明者）向けである。また、同一直径においても、用途や好みによって、打刻高さＨｂを調整（可変）可能になっている。
【００４６】
なお、点字Ｂには、上述のような仮名文字や数字等を表す６点点字Ｂの他、漢字を表す８点点字（１マスが縦４個×横２個の点で構成される点字）も使用されている。本実施形態では、６点点字Ｂを形成する場合を例に挙げて説明するが、８点点字を形成するラベル作成装置においても本発明は適用可能である。また、実際の点字の打刻結果としては、打刻点が凸部となるだけであり、非打刻点は平坦なので見えないが、本実施形態で参照する図面の点字の表記では、説明の便宜上、図４で上述のように、打刻点および非打刻点を、「○」の実線（＋斜線網掛け）および点線で明記する。
【００４７】
図１〜図３を参照して、さらに詳述する。キーボード３には、文字キー群３ａ、および各種動作モード等を指定するための機能キー群３ｂが配列されている。文字キー群３ａは、墨字印刷や点字打刻を行うための文字情報を入力するためのものであり、ＪＩＳ配列に基づいたフルキー構成となっている。また、機能キー群３ｂには、一般のワープロ等と同様に、漢字変換等のための変換キー、処理の取り消し等のための取消キー、カーソル移動用のカーソルキー、各種選択画面における選択肢の決定やテキスト入力時の改行のための確定（エンター）キー、簡易図形や記号等を読み出すための記号キー、文字サイズや割付その他のスタイルを選択・設定するためのスタイルキーなどが含まれる。
【００４８】
また、さらに機能キー群３ｂには、墨字印刷や点字打刻を実行させるための印刷・実行キー（印刷キー）、点字打刻部１５０におけるテープＴの送り開始を指示する送り開始キー、手動により点字打刻を行わせる打刻開始キーの他、墨字印刷や点字打刻を行う処理モードを選択するためのモードキー、墨字印刷領域Ｅｐと点字打刻領域Ｅｂの配置を設定するためのレイアウトキー、その配置結果を印刷等の実行前にプレビュー表示させるためのプレビューキー、それをスクロール表示させるためのスクロールキー、点字情報を入力・編集するための点字入力キー、墨字その他の通常文字列を点字に変換（点訳）する際や点字のマスを読み取った際の仲介の文字列（点訳文字列）を生成するための点訳キー、印刷・表示濃度や打刻高さ等の処理環境設定のための環境キーなどが含まれる。
【００４９】
モードキーによって選択される処理モードとしては、入力された文字情報に基づいて墨字印刷および点字打刻を行う第１処理モード（図１０（ａ）参照）、入力された文字情報に基づいて墨字印刷のみを行う第２処理モード（同図（ｂ）参照）、入力された文字情報に基づいて点字打刻のみを行う第３処理モード（同図（ｃ）参照）があり、いずれか１つの処理モードが選択される。
【００５０】
ディスプレイ４は、横方向（Ｘ方向）約１２ｃｍ×縦方向（Ｙ方向）５ｃｍの長方形の形状の内側に、１９２ドット×８０ドットの表示画像を表示可能であり、ユーザがキーボード３から墨字や点字の情報を入力・作成・編集したりする際に用いられる。また、各種エラーやメッセージ（指示内容）を表示し、ユーザに報知する。
【００５１】
墨字印刷部１２０において、カートリッジ装着部６には、ヘッドカバー２０ａ内にサーマルヘッドから成る印刷ヘッド７が内蔵されたヘッドユニット２０と、印刷ヘッド７に対峙するプラテン駆動軸２５と、インクリボンＲを巻き取る巻き取り駆動軸２３と、テープリール１７の位置決め突起２４と、を備えている。また、カートリッジ装着部６の下側には、プラテン駆動軸２５および巻き取り駆動軸２３を回転させる印刷送りモータ１２１が内蔵されている。
【００５２】
テープカートリッジＣは、カートリッジケース５１内部にテープリール１７とリボンリール１９とを収容して構成されており、テープＴとインクリボンＲは同じ幅で構成されている。また、ヘッドカバー２０ａに差し込むための貫通孔５５が形成されており、テープＴとインクリボンＲとが重なる部分に対応して、プラテン駆動軸２５に嵌合されて回転駆動するプラテンローラ５３が配置されている。また、リボンリール１９から繰り出されたインクリボンＲは、ヘッドカバー２０ａを周回して、リボンリール１９に近接配置されたリボン巻き取りリール５４に巻き取られるようになっている。
【００５３】
テープカートリッジＣがカートリッジ装着部６に装着されると、ヘッドカバー２０ａに貫通孔５５が、位置決め突起２４にテープリール１７の中心孔１７ａが、プラテン駆動軸２５にプラテンローラ５３が、巻き取り駆動軸２３にリボン巻き取りリール５４の中心孔がそれぞれ差し込まれ、テープＴおよびインクリボンＲを挟み込んで印刷ヘッド７がプラテンローラ５３に当接して墨字印刷が可能になる。そして、墨字印刷後のテープＴは、印刷テープ排出口２２に送られる。
【００５４】
テープＴは、裏面に粘着剤層（粘着層）が設けられた基材テープ（基材シート：情報形成層）Ｔｂと、この粘着剤層を覆うように基材テープＴｂに貼付された剥離テープ（剥離シート：剥離層）Ｔｅとから構成されている。基材テープＴｂは、表側から、インクリボンＲから感熱転写されるインクの定着性を高めた受像層と、基材テープＴｂの主体を為すポリエチレンテレフタレート（ＰＥＴ）製のフィルムで構成された基材層と、粘着剤で構成された粘着剤層と、を積層して構成されている。剥離テープＴｅは、基材テープＴｂをラベルとして使用する時まで粘着剤層に埃などが付着しないようにするためのものであって、表面にシリコン処理がなされた上質紙（実施形態のものはＰＥＴ製）などで構成されている。
【００５５】
また、テープＴは、テープ種別（テープ幅、テープ色、墨字インク色、テープ材質など）が異なる複数種のものが用意されており、この種別を指標する複数の孔（図示省略）がカートリッジケース５１の裏面に設けられている。また、複数の孔に対応してカートリッジ装着部６には、これらを検出するテープ識別センサ（マイクロスイッチ）１７１が複数設けられており、このテープ識別センサ１７１の状態を検出することで、テープ種別を判別できるようになっている。なお、本実施形態では、テープ幅２４ｍｍ（テープＴ１）、テープ幅１８ｍｍ（テープＴ２）、テープ幅１２ｍｍ（テープＴ３）の３種を例に挙げて説明する（図６参照）。
【００５６】
次に、切断部１４０において、フルカッタ１４２は、詳細は図示しないが、上下方向にスライドカット可能な斜刃のカッタ刃を有するスライド形式のもので、フルカッタモータ１４１を駆動源とするクランク機構を介して、カッタ刃（カッタホルダ）を、テープＴの幅方向にスライド動作させるようになっている。カッタ刃がスライド動作すると、これに臨むテープＴの基材テープＴｂおよび剥離テープＴｅの両方を切断、すなわちテープＴをフルカットするようになっている。
【００５７】
また、同様に、ハーフカッタ１４４は、フルカッタ１４２と概ね同形状のスライドカット可能な斜刃のカッタ刃を有するスライド形式のもので、テープ送り上流側（テープカートリッジＣに近い側）に配設され、ハーフカッタモータ１４３を駆動源とするクランク機構を介して、テープＴの幅方向にスライド動作可能に構成されている。この場合、カッタ刃の突出量は、フルカッタ１４２の場合と異なり、基材テープＴｂのみをカットする突出量に調整され、カッタ刃がスライド動作すると、これに臨むテープＴの基材テープＴｂのみを切断、すなわちテープＴをハーフカットするようになっている。
【００５８】
次に、点字打刻部１５０において、打刻ユニット８０は、図５に示すように、テープＴの裏面側に配設されると共に上記３個の打刻ピン４１が組み込まれた打刻部材（打刻ヘッド）８１と、テープＴを挟んで打刻部材８１と対向する位置で打刻ピン４１の突き上げ（打刻）を受ける打刻受け部材８２とを備え、テープ走行路７０を挟むように固定配置されている。
【００５９】
打刻部材８１は、テープ幅方向（図示左右方向）に沿って、２．４ｍｍの間隔で配列された３個の打刻ピン４１を備えており、６個のうち縦３個の打刻ポイント２０１ａ〜２０１ｃ（または２０１ｄ〜２０１ｆ：図４（ａ）参照）に対応していると共に、ソレノイド４７を駆動源とした直線運動をガイドするガイド部材４５によって、テープＴに対し垂直に保持されている。打刻ピン４１の頭部４１ａは、打刻した打刻凸部２０２の形状が角の丸まった円筒形、半球形、円錐形、四角錐形等の断面形状（図４（ｂ）参照）となるような形状に形成されている。
【００６０】
ここで、ソレノイド４７によりプランジャー４８が直線運動を行うと、アーム部材４６が支持部材４９を支点として回動し、打刻ピン４１がテープＴに対し垂直方向に直線運動を行う。そして、３個のアーム部材４６にそれぞれ接続された３個のソレノイド４７は、三角形状の角部に位置するようにそれぞれ配設されている。一方、打刻受け部材８２は、３個の打刻ピン４１と対向する面４２ａに、３個の打刻ピン４１に対応する３個の打刻受け凹部４３が形成されている。そして、この打刻ピン４１と打刻受け部材８２とにより、テープＴに打刻凸部２０２を形成する。なお、３個の打刻ピン４１と対向する面４２ａは、打刻受け凹部４３を形成する代わりに、合成ゴム等の弾性材で構成した平坦な面としてもよい。
【００６１】
また、図６に示すように、テープ送りユニット６０は、送りローラ６１と、それを装置フレーム片６５に支持する支持部材６２と、送りローラ６１を回転させるための正逆回転可能な打刻送りモータ１５１（図３参照）とを有している。送りローラ６１は、駆動ローラ（図示省略）および従動ローラ６１ａから成るグリップローラであり、従動ローラ６１ａには、形成された点字Ｂを押し潰すことがないよう、干渉を逃げるように、環状溝６３が形成されている。
【００６２】
また、打刻テープ挿入口３１には、テープ幅の大きいものからテープＴ１、Ｔ２、Ｔ３（テープ幅２４、１８、１２ｍｍ）が挿入可能であり、最大テープ幅のテープＴ１については上下ガイド７１、７２によってガイドされ、それ以外のテープＴ２、Ｔ３については、下ガイド部材７１のみによってガイドされ、ユーザによりその先端がテープ送りユニット６０（送りローラ６１）に到達するまで（挿入可能な位置まで）手差し挿入される。そして、キーボード３上のテープ送り開始キーの押下によりテープ送りユニット６０によるテープ送りが開始される。
【００６３】
そして、先端検出センサ１７２によるテープ先端の検出をトリガとして、点字打刻処理を開始する（入力された点字データに基づくテープ送りおよび点字打刻を行う）。このとき、テープ先端から打刻開始位置までの長さが、打刻ピン４１と先端検出センサ１７２との間の長さよりも短く設定されている場合は、送りローラ６１を逆回転させることでテープＴを送り戻し、適当な位置まで送ったところで打刻および正方向へのテープ送りを開始する。なお、打刻ユニット８０による打刻開始は、先端検出センサ１７２によるテープ先端の検出をトリガとするばかりでなく、ユーザがキーボード３上の打刻開始キーを押下することにより手動開始させることも可能である。
【００６４】
ところで、上述の各構成は、ラベル作成装置１を単体（スタンドアロン）で利用する場合にも必要な構成であるが、ラベル作成装置１では、墨字画像（データ）や点字画像（データ）を用意して供給するための供給装置に、所定の通信手段を介して接続し、全体の構成を、ラベル作成システムＳＹＳまたは１つのラベル作成装置として見ることもできる。以下では、このタイプのラベル作成装置を単体のものと区別して「ラベル作成システム」という。また、ラベル作成装置１を区別して説明するときには、単体で利用するときをラベル作成装置１Ａ、ラベル作成システムＳＹＳに組み込んで利用するときをラベル作成装置１Ｂという。
【００６５】
図７および図８に示すように、まず、ラベル作成装置１（１Ｂ）は、データサーバ（供給装置）ＤＳとインタフェースＩＦを介して接続され、全体としてラベル作成システムＳＹＳを構成している。データサーバＤＳは、ラベル作成装置１（１Ｂ）に対して、印刷対象の墨字画像データおよび打刻対象の点字画像データを供給するものである。
【００６６】
このため、データサーバＤＳは、例えば図７に示すように、ネットワークＮＷを中心に、端末となる複数のワークステーションＷＳ（パソコンＰＣ等）１〜３やターミナルアダプタ（ルータ、リピータ、ハブ等を含む）ＴＡ等を接続して構成し、これらの端末のいずれかからインタフェースＩＦを介して、あるいはネットワークＮＷから直接のインタフェースＩＦとして、ラベル作成装置１を接続しても良い。
【００６７】
この場合のネットワークＮＷとしては、ＩＥＥＥ標準ＬＡＮ準拠の通信プロトコルに従ったもの、例えばいわゆるインターネットや各種のローカルエリアネットワーク（ＬＡＮ：イーサネット（登録商標）、１０／１００ベース（Base）等）が採用できる。また、端末を介するインタフェースＩＦとしては、シリアルデータ通信（ＲＳ−２３２Ｃ、ＵＳＢ、ＩＥＥＥ１３９４等）でも、パラレルデータ通信（セントロニクス等）でも良い。なお、これらは有線通信の規格であるが、無線通信を利用することも可能である。
【００６８】
あるいは、より単純な構成として、データサーバＤＳを、スタンドアロンタイプの装置としても良い。例えば図８に示すように、スタンドアロンのパソコンＰＣとラベル作成装置１（１Ｂ）とを、ＵＳＢ等のインタフェースＩＦで接続するだけで、ラベル作成システムＳＹＳを構成できる。
【００６９】
なお、図７の構成（第１の構成）では、データサーバＤＳ内の各装置（ＷＳ１〜３、ＴＡ等）に用意（記憶）された墨字画像データや点字画像データ等の各種データを、ダウンロード等により供給する構成となり、図８の構成（第２の構成）では、例えばパソコンＰＣ（データサーバＤＳ）に記憶された各種データを供給する構成となる。本実施形態では、比較的単純で説明が容易な、図８の第２の構成として説明する。このため、図３で前述のラベル作成装置１では、ＤＳ−ＩＦ１００は、ＵＳＢ仕様（プロトコル）に基づいて（ＵＳＢケーブルによる）インタフェースＩＦからＵＳＢコネクタ２５を介してデータサーバＤＳとの通信を行うための送受信バッファ１０１を有している。
【００７０】
次に、図９〜図１２を参照し、ラベル作成装置１の全体処理について説明する。図９に示すように、電源キーの押下（電源オン）により処理が開始すると、まず、前回の電源オフ時の状態に戻すために、退避していた各制御フラグを復旧するなどの初期設定を行い（Ｓ１０）、テープ識別センサ１７１（図３参照）によりテープ種別を検出し（Ｓ１１）、続いて、ユーザによるキーボード３からの（またはパソコン等のデータサーバＤＳからの）データ入力により文字情報が入力され、編集画面等として各種の情報が表示される（Ｓ１２）。
【００７１】
ここで、キーボード３からのモード選択指示（モードキー入力）により（またはデータサーバＤＳからの指示入力により）、モード選択割込が発生すると（ＩＮＴＭ）、処理モード選択の処理が起動され、第１処理モード（墨点併記）、第２処理モード（墨字のみ）および第３処理モード（点字のみ）のいずれかが選択される（Ｓ１３）。
【００７２】
また、レイアウト設定指示（レイアウトキー入力）により（またはデータサーバＤＳからの指示入力により）、レイアウト設定割込が発生すると（ＩＮＴＬ）、レイアウト設定の処理が起動され（Ｓ３０）、プレビュー表示指示（プレビューキー入力）により（またはデータサーバＤＳからの指示入力により）、プレビュー表示割込が発生すると（ＩＮＴＲ）、プレビュー表示の処理が起動され（Ｓ３１）、スタイル選択指示（スタイルキー入力）により（またはデータサーバＤＳからの指示入力により）、スタイル選択割込が発生すると（ＩＮＴＳ）、スタイル選択の処理が起動される（Ｓ３２）。
【００７３】
また、点字入力指示（点字入力キー入力）により（またはデータサーバＤＳからの指示入力により）、点字入力割込が発生すると（ＩＮＴＢ）、点字入力の処理が起動され（Ｓ３３）、書式設定指示（書式キー入力）により（またはデータサーバＤＳからの指示入力により）、書式設定割込が発生すると（ＩＮＴＦ）、書式設定の処理が起動され（Ｓ３４）、印刷／実行指示（印刷キー入力）により（またはデータサーバＤＳからの指示入力により）、印刷割込が発生すると（ＩＮＴＧ）、実行前設定の処理が起動される（Ｓ１４）。
【００７４】
ここで、実行前設定（Ｓ１４）では、実際の墨字印刷や点字打刻に際してその時点で必要とされる割付配置等の設定や各設定の最終確認等が行われる。なお、モード選択割込、レイアウト設定割込、プレビュー表示割込、スタイル選択割込、点字入力割込、書式設定割込などがないまま、印刷割込が発生したときには（ＩＮＴＧ）、デフォルトとして前回の設定のモード（初期設定では、第１処理モード、点字下段、墨点並行、枠無し墨字サイズ均等、点字文字入力、地紋無し）が選択される。そして、実行前設定（Ｓ１４）が終了すると、実際の墨字印刷や点字打刻の処理を開始する。
【００７５】
すなわち、図９および図１０（ａ）に示すように、第１処理モードの場合（Ｓ１３：（ａ））、墨字印刷部１２０による墨字Ｐの印刷（墨字印刷）を行った後（Ｓ１５）、テープカットと印刷テープ排出口２２からのテープＴの排出を行い（Ｓ１６）、ディスプレイ４上に打刻テープ挿入口３１へのテープ挿入指示を表示する（Ｓ１７）。なお、この指示表示は、インジケータやＬＥＤによって行っても良い。
【００７６】
テープ挿入指示に従って、ユーザによりテープＴが打刻テープ挿入口３１に挿入（手差し挿入）されると、点字打刻部１５０により点字Ｂの打刻（点字打刻）を行った後（Ｓ１８）、打刻テープ排出口３２から打刻済みテープＴを排出し（Ｓ１９）、処理を終了する（Ｓ２７）。
【００７７】
また、第２処理モードの場合（Ｓ１３：（ｂ））、墨字印刷部１２０による墨字印刷の後（Ｓ２０）、テープカット・排出を行い（Ｓ２１）、処理を終了する（Ｓ２７）。すなわち、第２処理モードでは、図１０（ｂ）に示すように、装着されたテープカートリッジＣから繰り出されたテープＴが墨字印刷部１２０へ送られることによって墨字Ｐを印刷する。
【００７８】
また、第３処理モードの場合（Ｓ１３：（ｃ））、ディスプレイ４上に打刻テープ挿入口３１へのテープ挿入指示を表示し（Ｓ２４）、ユーザによるテープ挿入により点字打刻を行った後（Ｓ２５）、打刻テープ排出口３２から打刻済みテープＴを排出し（Ｓ２６）、処理を終了する（Ｓ２７）。すなわち、第３処理モードでは、図１０（ｃ）に示すように、短冊状のテープ（任意の長さにカットされたテープ）Ｔが手差し挿入により点字打刻部１５０に送られて、点字Ｂを打刻する。
【００７９】
なお、手差し挿入のための短冊状のテープＴを入手するために、テープ挿入指示（Ｓ２４）の前に、図９および図１０（ｃ）に点線で図示のように、第１処理モードの墨字印刷の代わりの空印刷（何も印刷しないでテープ送りのみ）を行った後（Ｓ２２）、テープカット・排出を行い（Ｓ２３）、排出されたテープカット後のテープＴを、手差し挿入用の短冊状のテープＴとして利用しても良い。また、図示はしないが、点字打刻部１５０の上流側にテープカートリッジＣを装着できる仕様とし、テープカートリッジＣから繰り出された長尺状のテープに点字打刻を行わせることも可能である。また、墨字印刷と点字打刻は、同じ文字情報に基づいて印刷／打刻するのではなく、異なる文字情報に基づいて実行することも可能である。
【００８０】
次に、レイアウト設定（Ｓ３０）では、テープ幅検出結果（Ｓ１１）および処理モード選択結果（Ｓ１３）に基づいて、主な設定として、テープＴ上における墨字印刷領域（印刷領域、印刷配置部）Ｅｐや点字打刻領域（打刻領域、打刻配置部）Ｅｂの相対位置や（図１１等参照）、各配置部の長さ（図外の印刷配置部長さ、打刻配置部長さ、共通配置部長さ等）など、一般的なテープ印刷装置やワープロ等と同様の設定が行われる。
【００８１】
そして、特に第１処理モード（墨点併記）の場合、図１１に示すように、テープ幅の検出結果が２４ｍｍ（テープＴ１）のときには（同図（ａ）参照）、印刷領域Ｅｐが上段，打刻領域Ｅｂが下段（ａ―１：以下「点字下段」）、または印刷領域Ｅｐが下段，打刻領域Ｅｂが上段（ａ―２：以下「点字上段」）のいずれかのレイアウトが選択される。
【００８２】
また、テープ幅１８ｍｍ（テープＴ２）のときにも（図１１（ｂ）参照）、点字下段（ｂ―１）、点字上段（ｂ―２）のいずれかが選択されることとなるが、この場合、テープ幅に合わせて印刷領域Ｅｐのテープ幅方向長さが短くなる。
【００８３】
また、テープ幅１２ｍｍ（テープＴ３）のときには（図１１（ｃ）参照）、テープ幅が点字１マス２０１の大きさ（テープ幅方向長さ）を打刻可能な最低の長さであるため（図４（ａ）参照）、点字上段・下段の選択、墨点並行／重ねの選択・設定に拘わらず、印刷領域Ｅｐと打刻領域Ｅｂが重なり合ったレイアウト（印刷領域Ｅｐと打刻領域Ｅｂが重なり合った領域：重畳領域Ｅｃ）のみとなる。
【００８４】
なお、上述のテープＴ１やテープＴ２の場合、墨字と点字とを並行に配置するレイアウト（以下「墨点並行」）以外に、自由に（例えば大きく）印刷した墨字の一部に点字を重ねるレイアウト（以下「墨点重ね」）を選択して、設定できるようになっている。
【００８５】
この場合、例えば図１２に示すように、テープ幅２４ｍｍ（テープＴ１）のときには（同図（ａ）参照）、印刷領域Ｅｐを全体とし、打刻領域Ｅｂ（＝重畳領域Ｅｃ）は、点字下段では下段（ａ―３）、点字上段では上段（ａ―４）、のいずれかのレイアウトとなる。また、テープ幅１８ｍｍ（テープＴ２）のときにも（同図（ｂ）参照）、点字下段（ｂ―３）、点字上段（ｂ―４）のいずれかとなる。
【００８６】
次に、ラベル作成装置１では、ディスプレイ４内に、テキスト編集画面等の通常の表示画面の他に、対応するプレビュー表示画面（プレビュー画面、モニタ画面）を表示することができる。このため、上述のプレビュー表示（図９のＳ３１）では、その時点で実際の墨字印刷や点字打刻が行われた場合の、その墨字印刷や点字打刻のイメージ（画像）を、ディスプレイ４内のモニタ画面に表示（プレビュー表示）する。
【００８７】
また、ラベル作成装置１では、墨字用の文字列（墨字列）の１行あるいは複数行（以下、各行を適宜「墨字行」という）を文字情報として入力できるが、さらに、上述のスタイル選択（図９のＳ３２）によって、各墨字行の文字サイズ、割付け、外枠・表組みなどを選択できる。また、上述の書式設定（図９のＳ３４）によって、墨字印刷時の地紋印刷や定長印刷や各種余白を設定できる。
【００８８】
一方、ラベル作成装置１では、上記の墨字列を直接変換したり、上述の点字入力（図９のＳ３３）によって、点字の文字列（点字列、点字マス列）などの点字打刻用の情報（点字情報）を作成できるが、点字列に対しても、上述のスタイル選択（図９のＳ３２）によって、外枠・表組み等の一定のスタイルを選択・設定でき、また、上述の書式設定（図９のＳ３４）によって、点字打刻された点字部分（点字部）に対する地紋印刷等の一定の書式を選択・設定できる。
【００８９】
次に、ラベル作成時の操作の例について、さらに具体的に詳述する。なお、ここでは、特に点字入力指示（点字入力キーの押下）に応じて、墨字用の文字列（墨字列）の墨字情報（墨字データ等）の入力に基づいて、入力された墨字列を点字変換（点訳）して点字情報（点字データ等）を作成する「墨字点訳」の場合の操作について、その中でも特に、点字列から成る点字部にスタイル選択により外枠を付加する場合の操作について、第１例として説明する。
【００９０】
また、説明の便宜上（本実施形態の特徴を説明しやすいように）、まず、テープ幅２４ｍｍ（テープＴ１）、第１処理モード（墨点併記）、「墨点並行」および「点字下段」（図１１（ａ）に相当）とし、墨字の割付を中寄せ（中央寄せ、センタリング）とする。
【００９１】
例えば図１３に示すように、テキスト編集開始前の初期状態では、テープ幅検出センサ１７１により検出されたテープ種別（具体的にはテープ幅２４ｍｍ）を表示するとともに、編集を開始する１行目の行番号（墨字マークＭｋｐ）および１行目の１文字目の入力を促すカーソルＫを表示する（テキスト編集画面：画面Ｄ１０：以下、ディスプレイ４の表示画面の状態を画面Ｄｘｘとし、Ｄｘｘのみで説明および図示する。）。
【００９２】
この状態から（Ｄ１０）、ユーザの操作として、点字入力キーが押されると（図９の点字入力割込（ＩＮＴＢ））、点字入力のため、その第１階層の選択画面（点字入力方法選択画面）に遷移する（Ｄ１１）。なお、ラベル作成装置１では、ユーザは、キー入力による各種指示等や入力データを、削除キーの押下（１回に１文字ずつの削除）や取消キーの押下によって取り消して、元の状態に戻すことができるが、これらについて、以下では説明は省略する。
【００９３】
上述の状態では（Ｄ１１）、選択肢として、文字入力に基づいて点字を入力する「文字入力」および打刻点を指定して点単位で点字（マス）を入力する「直接入力」のいずれかを、カーソル操作によって選択・指定できる（画面遷移直後は前回指定の選択肢をデフォルトとしてカーソル指定して表示：ここでは前回指定が「直接入力」、初期設定は「文字入力」）。なお、以下の各種画面においても、基本的に画面遷移直後は、前回指定の位置をデフォルトとしてカーソル指定して表示するものとし、説明は省略する。
【００９４】
ここでは、墨字入力がしたいので、上述の状態から（Ｄ１１）、「文字入力」がカーソル指定されて（Ｄ１２）、エンターキーの押下により選択（以下単に「選択確定」という）されたとすると、点字入力方法（点字入力モード）として「文字入力」を設定して、次に、点字情報編集画面に遷移する（Ｄ１３）。
【００９５】
この点字情報編集画面では、通常の文字列（通常文字列：墨字列）の入力・編集のための「入力」欄と、点訳結果の点訳文字列（点訳列）の入力・編集のための「点訳」欄と、点訳列に対応する点字のマスのイメージを表示するための「点字」欄と、を各行に並べて表示し、初期状態では、カーソルＫにより「入力」欄の１文字目の入力を促す（Ｄ１３）。
【００９６】
次に、この状態から（Ｄ１３）、墨字列「のぼり＿いちばんせん」（「＿」は空白を示す）が入力され、未確定状態を経て確定されると、カーソルＫにより最後の文字「ん」の次の文字の入力を促す（Ｄ１４）。なお、文字入力直後の未確定状態（例えば白黒反転文字や薄字等で表示された状態）から変換キー等の押下により、漢字変換等をしてから確定（入力）することもできる（例えば図２５等の「上り＿１番線」等参照）。
【００９７】
ここでは、図１４に示すように、上述の状態から（Ｄ１４：図１３と共通）、点訳キーが押されたとすると、点字にするときの慣用仕様（民間仕様）に従って上述の墨字列を点訳し、点訳結果の点訳列「ノボリ＿イチバンセン」を「点訳」欄に表示し、対応する点字マスのイメージを「点字」欄に表示し、入力された墨字列や点訳列の確認および点訳列としての編集が容易なように、「点訳」欄の点訳列の先頭、すなわち「ノ」の前に、カーソルＫを移動させて、確認を促す（Ｄ１５）。なお、カーソルＫは点訳直後には移動させないようにしたり、あるいは墨字列の確認を促すように、カーソルＫを「入力」欄の墨字列の先頭に移動させるようにしても良い。
【００９８】
ところで、ここでは、点字列に対して、スタイル選択（図９のＳ３２）によって、外枠を選択・設定したいので、上述の状態から（Ｄ１５）、スタイルキーが押されると（図９のスタイル選択割込（ＩＮＴＳ））、スタイル選択のため、その第１階層の選択画面（スタイル選択画面）に遷移する（Ｄ１６）。
【００９９】
この状態では（Ｄ１６）、選択肢として、文字サイズを変更等するための「文字サイズ」、縦書きか横書きかを選択するための「縦・横」、前寄せや中寄せや後寄せや均等などの割付を選択するための「割付け」、外枠や表組みを設定するための「外枠・表組」、スタイル選択画面を終了して上位画面に戻すための「終わり？」のいずれかを選択・指定でき、ここでは、外枠を付加したいので、「外枠・表組」が選択確定されたとすると（Ｄ１７）、外枠や表組みの選択のため、その下位の選択画面に遷移する（Ｄ１８）。
【０１００】
この状態では（Ｄ１８：図１４と図１５で共通）、選択肢として、点字用（点字部用）の外枠や表組みを選択等するための「点字用外枠・表組」、点字列と墨字列（点字部と墨字部）とに共用の外枠や表組みを選択するための「点字／墨字用外枠・表組」、この選択画面を終了して上位画面に戻すための「終わり？」のいずれかを選択・指定でき、ここでは、点字用外枠を付加したいので、図１５に示すように、「点字用外枠・表組」が選択確定されたとすると（Ｄ１８）、点字部用外枠や点字部用表組み（点字枠・表）の選択のため、その下位の選択画面に遷移する（Ｄ３０）。
【０１０１】
なお、外枠・表組みの選択肢としては、図１６に示すような各種の表組みや外枠が用意されている。このため、上述の選択肢「点字用外枠・表組」では、点字のマスサイズやマス間サイズなどの点字仕様に従った点字独特のサイズに合うように、外枠や表組みのデータを用意していて、これにより、マスの縦のサイズに合わせて上下で挟むように、マスの上方の位置に引かれる上罫線と下方の位置に引かれる下罫線から成る上下罫線の長さを、点字列の文字数（マス数）に合わせて調整できるようになっている。
【０１０２】
また、「点字／墨字用外枠・表組」では、同様の種の外枠や表組みのデータを、点字仕様だけでなく、墨字サイズ（文字サイズ）や墨字間サイズ（文字間サイズ）などの墨字仕様（印刷サイズ等）にも適合するように調整可能に用意している。
【０１０３】
次に、上述の状態では（Ｄ３０）、選択肢として、外枠も表組みもない「なし」、表組みを選択等するための「表組」、外枠を選択するための「外枠」、この選択画面を終了して上位画面に戻すための「終わり？」のいずれかを選択・指定できる。ここでは、点字用外枠を付加したいので、「外枠」が選択確定されたとすると（Ｄ３１）、点字部用外枠（点字外枠）の選択のため、その下位の選択画面（点字外枠選択画面）に遷移する（Ｄ３２）。
【０１０４】
この点字外枠選択画面の状態では（Ｄ３２）、図１６に示す各種の外枠のイメージが選択肢となっているので、いずれかを選択・指定できる。ここでは、例えば「０６」の点字外枠が選択確定されたとすると（Ｄ３３：図１５と図１７で共通）、図１７に示すように、「０６」の点字枠を設定した後、元の（上位の）スタイル選択画面に戻る（Ｄ３４：図１５のＤ３１と同じ）。
【０１０５】
そして、この状態から（Ｄ３４）、点字枠・表のスタイル選択の操作を終了させるべく、「終わり？」が選択確定されたとすると（Ｄ３５）、さらに上位の枠・表のスタイル選択画面に戻り（Ｄ３６：図１４および図１５のＤ１８と同じ）、ここでも操作を終了させるべく、「終わり？」が選択確定されたとすると（Ｄ３７：図１７と図１８で共通）、図１８に示すように、さらに上位のスタイル選択画面に戻り（Ｄ３８：図１４のＤ１７と同じ）、ここでも同様に「終わり？」が選択確定されたとすると（Ｄ３９）、スタイル選択の操作を終了して、さらに上位の（元の）点字情報編集画面に戻る（Ｄ４０：図１４のＤ１５と同じ）。
【０１０６】
そして、この状態では（Ｄ４０）、「０６」の点字枠が設定されているので、この状態から印刷キーが押され、印刷割込が発生すると（図９のＩＮＴＧ）、図１９（ａ）に示すように、「墨字並行」（図１１（ａ−１）に相当）のときの墨字部の位置に「のぼり＿いちばんせん」の墨字列を配置するとともに、点字部を囲むように「０６」の点字枠Ｆ００を配置した墨字画像（データ）Ｇｐ００と、「ノボリ＿イチバンセン」に相当する点字情報（点字データ：Ｄ４０の「点字」欄参照）に基づく点字画像（データ）Ｇｂ０と、を作成する。
【０１０７】
その後、「印刷中」および「印刷後は打刻部へ」のメッセージ表示を伴う印刷中報知画面に遷移し、墨字画像Ｇｐ００により墨字印刷を行った後（図９のＳ１５）、テープカット・排出を行い（Ｓ１６）、上記のメッセージ表示の代わりに打刻部（点字打刻部１５０の打刻テープ挿入口３１）へのテープ挿入指示を表示する（Ｓ１７）。ここで、テープ挿入指示に従って、ユーザによりテープＴが手差し挿入されると、点字打刻部１５０により点字画像（データ）Ｇｂ０の点字打刻を行うことにより、外観（画像）Ｇ００のような墨点併記のラベルＬ００を作成できる。すなわち、ここでは、点字画像Ｇｂ０の点字打刻を行った後（図９のＳ１８）、打刻済みテープＴを排出し（Ｓ１９）、処理を終了して（Ｓ２７）、図１８に示すように、元の点字情報編集画面に戻る（Ｄ４０）。
【０１０８】
なお、上述の例では、「０６」の点字枠Ｆ００を選択したが、同様に例えば「１９」の点字枠（図１６参照）が選択されると、図１９（ｂ）に示すように、「のぼり＿いちばんせん」の墨字列と「１９」の点字枠Ｆ０１を配置した墨字画像Ｇｐ０１と、「ノボリ＿イチバンセン」に相当する点字画像Ｇｂ０と、を作成し、同様の墨字印刷および点字打刻によって、外観画像Ｇ０１のような墨点併記のラベルＬ０１を作成できる。また、同様に、例えば「４０」の点字枠（図１６参照）が選択されると、図１９（ｃ）に示すように、「のぼり＿いちばんせん」の墨字列と「４０」の点字枠Ｆ０２を配置した墨字画像Ｇｐ０２と、「ノボリ＿イチバンセン」に相当する点字画像Ｇｂ０と、を作成し、同様の墨字印刷および点字打刻によって、外観画像Ｇ０２のラベルＬ０２を作成できる。
【０１０９】
上述のように、本実施形態のラベル作成装置１（の第１例）では、「墨字並行」なので（図１１（ａ）参照）、打刻領域Ｅｂ（＝重畳領域Ｅｃ）は印刷領域Ｅｐ内にあり、このため、墨字印刷を用いて点字を囲む点字枠Ｆ００等を容易に印刷でき、その点字枠Ｆ００等内に点字を打刻できるとともに、その点字枠Ｆ００等は、文字高サイズや文字幅サイズや文字間サイズ等々の墨字用の各種の印刷サイズに合う墨字用の枠（墨字枠）の流用でなく、点字仕様のマスサイズやマス間サイズの仕様に従った点字枠の点字枠データに基づいて印刷するので、点字独特のサイズに合う点字枠を容易に配置・印刷することができ、また、表示画面上で、好みや目的等に合わせて所望の点字枠Ｆ００等を容易に選択でき、この点字枠Ｆ００等の印刷によって、晴眼者が点字部の存在やその位置を容易に認識可能なテープＴ（処理シート：ラベルＬ００等）を、簡易に作成できる。
【０１１０】
次に、ラベル作成装置１では、点字部を囲むようにさらに多様な外枠を付加できるので、これらについて、第２例として説明する。
【０１１１】
例えば図２０に示すように、前述のスタイル選択画面の状態から（Ｄ１８：図１４および図１５と共通）、ここでは、点字仕様だけでなく、墨字仕様（印刷サイズ等）にも適合するように調整可能な「点字／墨字用外枠・表組」（墨点共用枠・表組）が選択確定されたとすると（Ｄ５０）、墨点共用外枠や墨点共用表組（墨点共用枠・表）の選択のため、その下位の選択画面に遷移する（Ｄ５１）。
【０１１２】
この状態から（Ｄ５１）、点字用枠で前述したのと同様に、「外枠」が選択確定されたとすると（Ｄ５２）、点字部をさらに目立たせる（晴眼者に認識させる）ために点字枠内の点字部の存在を示す注意表記（注意書き：以下「注記」）を印刷させるか否か、あるいは外枠の表記の仕方、等々を選択するための墨点表記選択画面に遷移する（Ｄ５３）。
【０１１３】
この墨点表記選択画面の状態では（Ｄ５３：図２０と図２１で共通）、選択肢として、「１．注意表記なし」「２．注意表記付き」「３．注記なし＋墨点囲い」「４．注記付き＋墨点囲い」「５．注記なし＋二重囲み」「６．注記付き＋二重囲み」「７．墨字列＋注記無」「８．墨字列＋注記付」「９．墨字列＋注記無＋墨点囲」「１０．墨字列＋注記付＋墨点囲」「１１．墨字列＋注記無＋二重囲」「１２．墨字列＋注記付＋二重囲」のいずれかを選択・指定できる。
【０１１４】
各選択肢については後述するものとして、ここでは、図２１に示すように、「６．注記付き＋二重囲み」が選択確定されたとすると（Ｄ５４）、墨点共用外枠の選択のため、その下位の選択画面（墨点外枠選択画面）に遷移する（Ｄ５５）。
【０１１５】
この墨点外枠選択画面の状態では（Ｄ５５）、図１６で前述の各種の外枠のイメージが選択肢となっているので、いずれかを選択・指定できるが、ここでは、「二重囲み」なので、まず、内側枠を選択する。ここでは、「０１」の内側枠（点字枠）が選択確定されたとすると（Ｄ５５）、次に、外側枠の選択画面に遷移するので、同様にして「１９」の外側枠（墨点共用枠）が選択確定されたとすると（Ｄ５６）、「０１」の内側枠および「１９」の外側枠を設定した後、元の（上位の）スタイル選択画面に戻る（Ｄ５７：図２０のＤ５２と同じ）。
【０１１６】
そして、この状態から（Ｄ５７：図２１と図２２で共通）、図２２に示すように、墨点共用枠・表のスタイル選択の操作を終了させるべく、「終わり？」が選択確定されたとすると（Ｄ５８）、さらに上位の枠・表のスタイル選択画面に戻り（Ｄ５９：図２０のＤ５０と同じ）、ここでも操作を終了させるべく、「終わり？」が選択確定されたとすると（Ｄ６０）、さらに上位のスタイル選択画面に戻り（Ｄ６１：図１４のＤ１７、図１８のＤ３８と同じ）、以降、図１８で前述の第１例と同様に、「終わり？」の選択確定により（Ｄ３９と同様）、スタイル選択の操作を終了して、元の点字情報編集画面に戻る（Ｄ４０等と同様）。
【０１１７】
そして、ここでは、「６．注記付き＋二重囲み」で且つ「０１」の内側枠および「１９」の外側枠が設定されているので、この状態から印刷キーが押され、印刷割込が発生すると（図９のＩＮＴＧ）、図２３（ｃ）に示すように、「墨字並行」（図１１（ａ）に相当）のときの墨字部の位置に、例えば注意表記の墨字列「注意！！＿点字表記があります。」を配置するとともに、点字部を囲む「０１」の点字枠Ｆ１０および注意表記をも含んで全体を囲む「１９」の墨点共用枠Ｆ１１から成る二重枠（二重囲み）Ｆ１２を配置した墨字画像Ｇｐ１２と、「ノボリ＿イチバンセン」に相当する点字情報に基づく点字画像Ｇｂ０と、を作成するので、その後の印刷キー押下により、図１９で前述と同様の墨字印刷および点字打刻によって、外観画像Ｇ１２のような墨点併記のラベルＬ１２を作成できる。
【０１１８】
なお、ここで、図２１で前述の墨点表記選択画面（Ｄ５３〜Ｄ５４等）での各選択肢について説明する。
【０１１９】
まず、「２．注意表記付き」は、上述の「６．注記付き＋二重囲み」の「＋二重囲み」をはずしたものであるが、そもそも何らかの外枠を付すことが前提なので、「注記付き＋一重囲み」あるいは「注記付き＋点字枠」に相当する選択肢である。すなわち、「２．注意表記付き」が選択されれば、上述の例の内側枠の選択の代わりに点字枠選択（外側枠選択無し）となり、同様に「０１」の点字枠が選択されれば、図２３（ａ）に示すように、注意表記「注意！！＿点字表記があります。」および「０１」の点字枠Ｆ１０を配置した墨字画像Ｇｐ１０と、前述同様の点字画像Ｇｂ０と、を作成するので、その後の印刷キー押下により、前述同様の墨字印刷および点字打刻によって、外観画像Ｇ１０のような墨点併記のラベルＬ１０を作成できる。
【０１２０】
一方、「４．注記付き＋墨点囲い」は、上述の「６．注記付き＋二重囲み」の「二重囲み」を「墨点囲い」に代えたものであり、点字枠の代わりに全体を囲む墨点共用枠のみを配置したもの、言い換えれば二重囲みの外側枠のみとしたもの、に相当する選択肢である。すなわち、「４．注記付き＋墨点囲い」が選択されれば、上述の例の内側枠の選択無しで外側枠の選択の代わりに墨点共用枠選択となり、同様に「１９」の墨点共用枠が選択されれば、図２３（ｂ）に示すように、注意表記「注意！！＿点字表記があります。」および全体を囲む「１９」の墨点共用枠Ｆ１１を配置した墨字画像Ｇｐ１１と、前述同様の点字画像Ｇｂ０と、を作成するので、その後の印刷キー押下により、前述同様の墨字印刷および点字打刻によって、外観画像Ｇ１１のような墨点併記のラベルＬ１１を作成できる。
【０１２１】
また、「１．注意表記なし」と「７．墨字列＋注記無」とが対応していて、「墨字列＋」の後者を選択すると、第１例の図１９で前述と同様のラベルを作成でき、「墨字列＋」の無い前者を選択すると、これらの墨字列「のぼり＿いちばんせん」の墨字印刷を除いたラベルを作成できる。別の見方で言い換えると、「２．注意表記付き」と「７．墨字列＋注記無」とが対応していて、前者では注意表記の墨字列を印刷し、後者では任意に入力した墨字列（ここでは「のぼり＿いちばんせん」）を印刷する（図２３（ａ）と図１９とを対比参照）。
【０１２２】
また、上記と同様に対比すると、「３．注記なし＋墨点囲い」と、「９．墨字列＋注記無＋墨点囲」と、上述の「４．注記付き＋墨点囲い」と、が対応していて、上述の図２３（ｂ）を例に挙げれば、対応する「３．注記なし＋墨点囲い」では、同図から注意表記の印刷を除くラベルを作成でき、「９．墨字列＋注記無＋墨点囲」では、同図の注意表記の代わりに墨字列「のぼり＿いちばんせん」を印刷したラベルを作成できる。
【０１２３】
また、同様に、「５．注記なし＋二重囲み」と、「１１．墨字列＋注記無＋二重囲」と、上述の「６．注記付き＋二重囲み」と、が対応していて、上述の図２３（ｃ）を例に挙げれば、対応する「５．注記なし＋二重囲み」では、同図から注意表記の印刷を除くラベルを作成でき、「１１．墨字列＋注記無＋二重囲」では、同図の注意表記の代わりに墨字列「のぼり＿いちばんせん」を印刷したラベルを作成できる。
【０１２４】
そして、「８．墨字列＋注記付」は、「２．注意表記付き」と「７．墨字列＋注記無」とを組み合わせて、すなわち注意表記の墨字列と任意に入力した墨字列（ここでは「のぼり＿いちばんせん」）との双方を印刷する選択肢であり、同様に、「１０．墨字列＋注記付＋墨点囲」は、「４．注記付き＋墨点囲い」と「９．墨字列＋注記無＋墨点囲」とを組み合わせて、注記と任意墨字列との双方を印刷する選択肢であり、「１２．墨字列＋注記付＋二重囲」は、「６．注記付き＋二重囲み」と「１１．墨字列＋注記無＋二重囲」とを組み合わせて、注記と任意墨字列との双方を印刷する選択肢である。
【０１２５】
このため、これらの「８．墨字列＋注記付」「１０．墨字列＋注記付＋墨点囲」「１２．墨字列＋注記付＋二重囲」が選択されたときには、各種の外枠が選択された後（例えば図２１のＤ５６相当の後）、スタイル選択画面（Ｄ５７相当）に戻る前に、図外の設定画面（墨字印刷編集・設定画面）に遷移する。
【０１２６】
すなわち、墨字印刷により印刷される３要素（３印刷要素）のレイアウトや印刷内容を編集・設定可能な墨字印刷編集・設定画面に遷移し、その設定画面上で、注記の墨字列（ここでは例えば「注意！！点字表記」）と、任意に入力された墨字列（例えば「のぼり＿いちばんせん」）と、各種の選択された外枠と、の３印刷要素のレイアウトを設定し、その後、スタイル選択画面に戻る（Ｄ５７相当）。
【０１２７】
これにより、例えば「８．墨字列＋注記付」が選択されれば、点字枠選択（外側枠選択無し）となり、「１９」の点字枠が選択され、その後の墨字印刷編集・設定画面において、図２４（ａ）に示すように、上段前寄りに任意墨字列「のぼり＿いちばんせん」、下段前寄りに「１９」の点字枠Ｆ１３（図１９（ｂ）のＦ０１と同じ）、その後に「←」の墨字と注記墨字列「注意！！点字表記」が配置されれば、任意墨字列「のぼり＿いちばんせん」、「１９」の点字枠Ｆ１３、「←」の墨字および注記墨字列「注意！！点字表記」を配置した墨字画像Ｇｐ１３と、前述同様の点字画像Ｇｂ０と、を作成するので、その後の印刷キー押下により、前述同様の墨字印刷および点字打刻によって、外観画像Ｇ１３のような墨点併記のラベルＬ１３を作成できる。
【０１２８】
また、同様にして、図２４（ｂ）に示すように、上段後寄りに任意墨字列「のぼり＿いちばんせん」、下段前寄りに注記墨字列「注意！！点字表記」と「→」の墨字、その後に「１９」の点字枠Ｆ１３が配置されれば、それらから成る墨字画像Ｇｐ１４と、前述同様の点字画像Ｇｂ０と、を作成するので、その後の印刷キー押下により、前述同様に、外観画像Ｇ１４のようなラベルＬ１４を作成できる。また、同様にして、図２４（ｃ）に示すように、任意墨字列と下向きの矢印の墨字と注記墨字列とが上段に並べて配置されれば、それらから成る墨字画像Ｇｐ１５と、点字画像Ｇｂ０と、を作成するので、同様に、外観画像Ｇ１５のようなラベルＬ１５を作成できる。
【０１２９】
なお、図１３で前述のように、点字情報編集画面の状態から（Ｄ１３）、墨字列「のぼり＿いちばんせん」が入力され、未確定状態（例えば白黒反転文字や薄字等で表示された状態）から変換キー等の押下により、漢字変換等をして、例えば「上り＿１番線」としてから確定（入力）することもでき、また、上述の墨字印刷編集・設定画面において、任意墨字列「のぼり＿いちばんせん」を「上り＿１番線」に書き換えることもできる。
【０１３０】
これらの場合、注記墨字列「注意！！点字表記」を括弧（）で囲んで、上述の図２４（ｃ）と同様に配置されると、それらから成る墨字画像Ｇｐ１６と、点字画像Ｇｂ０と、を作成するので、図２５（ａ）に示すように、外観画像Ｇ１６のようなラベルＬ１６を作成できる。また、任意墨字列の文字数が平仮名のみの時より短くなるので、前方へ配置して、同図（ｂ）（ｃ）に示すように、それぞれ外観画像Ｇ１７、Ｇ１８のようなラベルＬ１７、Ｌ１８を作成できる。
【０１３１】
次に、例えば「１０．墨字列＋注記付＋墨点囲」が選択されれば、「９．墨字列＋注記無＋墨点囲」と同様に、墨点共用枠選択（内側枠選択無し）となり、ここで例えば「１９」の墨点共用枠（外側枠）が選択され、その後の墨字印刷編集・設定画面において、図２６（ａ）に示すように、すなわち枠以外は図２５（ａ）と同様に配置されれば、それらから成る墨字画像Ｇｐ１９と、点字画像Ｇｂ０と、を作成するので、外観画像Ｇ１９のようなラベルＬ１９を作成できる。
【０１３２】
また、例えば「１２．墨字列＋注記付＋二重囲」が選択された場合も同様であり、この場合、「１１．墨字列＋注記無＋二重囲」と同様に、点字枠（内側枠）と墨点共用枠（外側枠）が選択され、ここで例えば内側が「０１」、外側が「１９」とされ、その後の墨字印刷編集・設定画面において、枠以外は図２５（ａ）や図２６（ａ）と同様に配置されれば、図２６（ｂ）に示すように、それらから成る墨字画像Ｇｐ２０と、点字画像Ｇｂ０と、を作成するので、外観画像Ｇ２０のラベルＬ２０を作成できる。また、同図（ｃ）に示すように、任意文字列が大きな文字サイズで前方に配置されれば、上述のラベルＬ２０を変化させたような、外観画像Ｇ２１のラベルＬ２１を作成できる。
【０１３３】
上述のように、第２例では、点字仕様だけでなく、墨字仕様（印刷サイズ等）にも適合するように調整可能な「点字／墨字用外枠・表組」（墨点共用枠・表組）下での墨点共用外枠（墨点共用枠）を用いて、点字列の部分（点字部）を囲む。そして、この第２例では、点字部のみを囲む内側枠と、墨字部を含む全体を含む外側枠と、のいずれかあるいは双方（少なくとも一方）を印刷する。
【０１３４】
この場合、内側枠としては、点字仕様のマスサイズやマス間サイズの仕様に従った枠（すなわち点字枠）が適し、この第２例では、内側枠のときには、墨点共用枠データに基づいて点字枠を（言い換えると墨点共用枠データを点字枠データとして使用して点字枠として）印刷するので、点字独特のサイズに合う点字枠を容易に配置・印刷することができ、この点字枠（内側枠）の印刷によって、第１例と同様に、晴眼者が点字部の存在やその位置を容易に認識可能な処理シートを、簡易に作成できる。なお、表示画面上で容易に選択できて操作性が高いことも第１例と同様である。
【０１３５】
一方、この第２例では、外側枠も印刷できるが、外側枠の場合、墨字列（墨字部）と点字列（点字部）との配置によって、墨字仕様の文字サイズや文字間サイズの仕様に従った枠（すなわち墨字枠）が適しているか、上記同様に点字枠が適しているかが変化する。そして、この第２例では、それぞれの配置に対応して適合する方の仕様の枠を印刷する。すなわち、墨点共用枠データを墨字枠データとして使用して墨字枠として印刷するか、墨点共用枠データを点字枠データとして使用して点字枠として印刷するか、などを、配置に応じて、臨機応変に対応して変化させる。
【０１３６】
例えば、図２３（ｂ）（ｃ）のラベルＬ１１、Ｌ１２、図２６（ａ）（ｂ）のラベルＬ１９、Ｌ２０では、点字列側（点字部）の長さが僅かに長いとすると、外側枠Ｆ１１、Ｆ１９等は、点字枠として、墨点共用枠データを点字枠データとして使用して印刷される。これらのうち、特にラベルＬ１２、Ｌ２０では、外側枠の選択が、既に選択された点字枠を内側枠として、墨字列（墨字部）も内部に囲む外側枠としての点字枠の点字枠データの選択となり、この選択によって、点字部を２重に枠囲いするとともに墨字部と点字部とを一緒に枠囲いしたテープＴ（処理シート：ラベルＬ１２等）を、簡易に作成できるようになっている。
【０１３７】
また、例えば図２６（ｃ）のラベルＬ２１では、墨字列側（墨字部）の長さが長いので、外側枠Ｆ１９ｓは、墨字枠として、墨点共用枠データを墨字枠データとして使用して印刷される。すなわち、外側枠の選択が、既に選択された点字枠を内側枠として、墨字部も内部に囲む外側枠としての墨字枠の墨字枠データの選択となり、この選択によって、点字部を点字枠と墨字枠とで２重に枠囲いするとともに墨字部と点字部とを一緒に枠囲いしたテープＴ（処理シート：ラベルＬ１２等）を、簡易に作成できるようになっている。
【０１３８】
そして、この第２例では、上述のように、点字仕様に従った点字独特のサイズに合う点字枠だけでなく、墨字仕様に従ったサイズに合う墨字枠も、容易に配置・印刷できるので、点字枠により晴眼者が点字部の存在やその位置を容易に認識可能としつつ、墨字や墨字枠との組合せにより多彩な処理シートを、簡易に作成できる。また、点字列の存在を示す注記を印刷できるようにしているので（図２３〜図２６等参照）、晴眼者がさらに容易に点字部の存在やその位置を認識可能なテープＴ（処理シート：ラベルＬ１１等）を、簡易に作成できる。
【０１３９】
なお、上記の第２例で作成可能なラベルとして、例えば図２７（ａ）に示すラベルＬ２２のように、注記を「注意！！点字表記。この上に物を置かないよう願います。」のようにさらに詳しくしても良い。また、標準の注記として用意しなくても、枠選択後の上述の墨字印刷編集・設定画面において、後部の「。この上に物を置かないよう願います。」等を付加しても良いし、あるいは点訳後の状態（例えば図１４のＤ１５）から墨字列を「この上に物を置かないよう願います。」等にしておいて、上述の墨字印刷編集・設定画面において、レイアウトを工夫しても良い。
【０１４０】
また、本実施形態のラベル作成装置１では、テープＴとして、２４ｍｍテープ幅（テープＴ１）までとしているが、大きな（特にテープ幅の広い）テープＴを扱えるようにすれば、図２７（ｂ）〜（ｄ）に示すラベルＬ２３〜Ｌ２５等のラベルを作成できる。これらの場合、図示ではわかりにくいが、点字部（点字画像Ｇｂ０の部分）は、前述してきた各種ラベル（例えば同図（ａ）のラベルＬ２２）の点字部と同一の大きさ、すなわち触読可能な点字仕様のサイズに従った大きさであり、全体が大きなこれらのラベルの場合、点字部を見逃す可能性が高くなるので、点字枠やそれに対する注記の役割が高くなる。
【０１４１】
次に、ラベル作成装置１では、晴眼者が点字部の存在やその位置を容易に認識可能とするための別の方法として、点字部を囲むようにその背景模様として多様な地模様（地紋）を付加できるので、これらについて、第３例として説明する。
【０１４２】
例えば図２８に示すように、前述の点字情報編集画面の状態から（Ｄ１５：図１４と共通）、ここでは、点字部の背景として地紋を設定・印刷したいので、書式キーが押されると（図９の書式設定割込（ＩＮＴＦ））、書式設定のため、その第１階層の設定画面（書式設定画面）に遷移する（Ｄ７０）。
【０１４３】
この状態では（Ｄ７０）、設定したい書式の選択肢として、背景として地紋を付加して印刷する「地紋印刷」、定長のラベル作成のため定長範囲を設定してその範囲内に印刷する「定長印刷」、作成するラベルの体裁を整えるために余白を設定する「余白」、書式設定画面を終了して上位画面に戻すための「終わり？」のいずれかを選択・指定でき、ここでは、地紋を印刷したいので、「地紋印刷」が選択確定されたとすると（Ｄ７０）、地紋の選択のため、その下位の選択画面に遷移する（Ｄ７１）。
【０１４４】
この状態では（Ｄ７１）、選択肢として、点字用の地紋を選択等するための「点字用地紋」、点字列と墨字列（点字部と墨字部）とに共用の地紋を選択するための「点字／墨字用地紋」、この選択画面を終了して上位画面に戻すための「終わり？」のいずれかを選択・指定できる。
【０１４５】
選択肢「点字用地紋」では、点字のマスサイズやマス間サイズなどの点字仕様に従った点字独特のサイズに合うように、地紋のデータを用意していて、これにより、地紋を施す部分（地紋部）の縦のサイズはマスの縦のサイズをカバーし、且つ、地紋部の長さを、点字列のマス数に合わせて調整できるようになっている。また、「点字／墨字用地紋」では、同様の種の地紋のデータを、点字仕様だけでなく、墨字サイズや墨字間サイズなどの墨字仕様にも適合するように調整可能に用意している。
【０１４６】
ここでは、点字用地紋を付加したいので、「点字用地紋」が選択確定されたとすると（Ｄ７１）、点字用地紋の選択のため、その下位の選択画面（点字地紋選択画面）に遷移する（Ｄ７２）。
【０１４７】
この点字地紋選択画面の状態では（Ｄ３２）、例えば表示画面内に図示の「１．海波」「２．菱形」「３．桜」「４．カード」「５．唐草」「６．点網」「７．切抜」「８．市松」などのイメージと「９．目盛り」の項目が選択肢となっているので、いずれかを選択・指定できる。ここでは、例えば「８．市松」の点字地紋が選択確定されたとすると（Ｄ７３：図２８と図２９で共通）、図２９に示すように、「８．市松」の点字地紋を設定した後、元の（上位の）書式設定画面に戻る（Ｄ７４：図２８のＤ７１と同じ）。
【０１４８】
そして、この状態から（Ｄ７４）、地紋設定の書式設定の操作を終了させるべく、「終わり？」が選択確定され（Ｄ７５）、さらに上位の書式設定画面においても、「終わり？」が選択確定されたとすると（Ｄ７６）、書式設定の操作を終了して、さらに上位の（元の）点字情報編集画面に戻る（Ｄ７７：図１４のＤ１５および図１８のＤ４０と同じ）。
【０１４９】
そして、この状態では（Ｄ７７）、「８．市松」の点字地紋が設定されているので、この状態から印刷キーが押され、印刷割込が発生すると（図９のＩＮＴＧ）、図３０（ａ）に示すように、また図１９（ａ）等と同様に、「墨字並行」（図１１（ａ−１）に相当）のときの墨字部の位置に「のぼり＿いちばんせん」の墨字列を配置するとともに、点字部を囲み且つ背景となるように「８．市松」の点字地紋Ｊ３０を配置した墨字画像Ｇｐ３０と、前述同様の点字画像Ｇｂ０と、を作成するので、その後の印刷キー押下により、前述同様の墨字印刷および点字打刻によって、外観画像Ｇ３０のような墨点併記のラベルＬ３０を作成できる。
【０１５０】
なお、同様にして、「４．カード」の点字地紋が選択されたときには、図３０（ｂ）に示すように、「のぼり＿いちばんせん」の墨字列とともに点字部の背景として「４．カード」の点字地紋Ｊ３１を配置した墨字画像Ｇｐ３１と、前述同様の点字画像Ｇｂ０と、を作成するので、前述同様の墨字印刷および点字打刻によって、外観画像Ｇ３１のようなラベルＬ３１を作成できる。また、同様に、「３．桜」の点字地紋が選択されたときには、同図（ｃ）に示すように、墨字列と「３．桜」の点字地紋Ｊ３２を配置した墨字画像Ｇｐ３２と、点字画像Ｇｂ０と、を作成するので、同様に、外観画像Ｇ３２のラベルＬ３２を作成できる。
【０１５１】
次に、さらに多様な形態で地紋を付加できるので、これらについて、第４例として説明する。
【０１５２】
例えば図３１に示すように、前述の書式設定画面の状態から（Ｄ７１：図２８と共通）、ここでは、点字仕様だけでなく、墨字仕様にも適合するように調整可能な「点字／墨字用地紋」（墨点共用地紋）が選択確定されたとすると（Ｄ８０）、注記文字列を印刷するか否か、あるいは地紋の配置の仕方、等々を選択するための、第２例で前述の墨点表記選択画面（Ｄ５３等）と類似した墨点表記選択画面に遷移する（Ｄ８１）。
【０１５３】
この墨点表記選択画面の状態では（Ｄ８１）、前述の墨点囲い（墨点囲）や二重囲み（二重囲）の代わりに、墨点地紋（墨点紋）や二重地紋（二重紋）に置き換えた選択肢を有し、これらのいずれかを選択・指定できる。すなわち、選択肢として、「１．注意表記なし」「２．注意表記付き」「３．注記なし＋墨点地紋」「４．注記付き＋墨点地紋」「５．注記なし＋二重地紋」「６．注記付き＋二重地紋」「７．墨字列＋注記無」「８．墨字列＋注記付」「９．墨字列＋注記無＋墨点囲」「１０．墨字列＋注記付＋墨点紋」「１１．墨字列＋注記無＋二重紋」「１２．墨字列＋注記付＋二重紋」のいずれかを選択・指定できる。
【０１５４】
ここでは、図示のように、「６．注記付き＋二重地紋」が選択確定されたとすると（Ｄ８２）、墨点共用地紋の選択のため、その下位の選択画面（墨点地紋選択画面）に遷移する（Ｄ８３）。
【０１５５】
この墨点地紋選択画面の状態では（Ｄ８３：図３１と図３２で共通）、第３例と同様に各種の地紋のイメージが選択肢となっているので、いずれかを選択・指定できるが、ここでは、「二重地紋」なので、第２例の「二重囲み」と同様に、内側と外側の選択があり、まず、内側地紋を選択する。
【０１５６】
ここでは、図３２に示すように、第３例と同じ「８．市松」の内側地紋（点字地紋）が選択確定されたとすると（Ｄ８４）、次に、外側地紋（墨点共用地紋）の選択画面に遷移するので（Ｄ８５）、同様にして「４．カード」の外側地紋が選択確定されたとすると（Ｄ８６）、「８．市松」の内側地紋および「４．カード」の外側地紋を設定した後、元の（上位の）書式設定画面に戻る（Ｄ８７：図３１のＤ８０と同じ）。
【０１５７】
そして、この状態から（Ｄ８７）、第２例の図２９で前述と同様に、地紋設定の書式設定の操作を終了させるべく、「終わり？」→「終わり？」が選択確定されたとすると（Ｄ７５〜Ｄ７６等）、上位の点字情報編集画面に戻る（Ｄ７７等）。
【０１５８】
そして、ここでは、「６．注記付き＋二重地紋」で且つ「８．市松」の内側地紋および「４．カード」の外側地紋が設定されているので、この状態から印刷キーが押され、印刷割込が発生すると（図９のＩＮＴＧ）、図３３（ｃ）に示すように、また第２例の図２３（ｃ）で前述と同様に、「墨字並行」の墨字部の位置に、注記墨字列「注意！！＿点字表記があります。」を配置するとともに、「８．市松」の内側地紋（点字地紋）Ｊ４０および「４．カード」の外側地紋（墨点共用地紋）Ｊ４１から成る二重地紋（二重紋）Ｊ４２を配置した墨字画像Ｇｐ４２と、点字画像Ｇｂ０と、を作成するので、その後の印刷キー押下により、前述と同様の墨字印刷および点字打刻によって、外観画像Ｇ４２のような墨点併記のラベルＬ４２を作成できる。
【０１５９】
なお、図３１で上述の墨点表記選択画面（Ｄ８１〜Ｄ８２等）での各選択肢については、第２例から類推可能なため、個々の説明は省略し、以下では、作成可能なラベルの例についてのみ、補足説明する。
【０１６０】
まず、「２．注意表記付き」は、「６．注記付き＋二重地紋」の「二重地紋」を単一の地紋（点字地紋）に代えたものなので、これが選択されれば、例えば図３３（ａ）に示すように、注意表記「注意！！＿点字表記があります。」と「８．市松」の内側地紋（点字地紋）Ｊ４０を配置した墨字画像Ｇｐ４０と、点字画像Ｇｂ０と、を作成するので、印刷キー押下により、前述同様に、外観画像Ｇ４０の墨点併記のラベルＬ４０を作成できる。
【０１６１】
また、「４．注記付き＋墨点地紋」は、上述の「６．注記付き＋二重囲み」の「二重地紋」を「墨点地紋」に代えたものなので、これが選択されれば、例えば図３３（ｂ）に示すように、注意表記「注意！！＿点字表記があります。」と「４．カード」の外側地紋（墨点共用地紋）Ｊ４１を配置した墨字画像Ｇｐ４１と、点字画像Ｇｂ０と、を作成するので、印刷キー押下により同様に、外観画像Ｇ４１のラベルＬ４１を作成できる。
【０１６２】
また、「墨字列＋」と「＋注記付」が重複する「８．墨字列＋注記付」「１０．墨字列＋注記付＋墨点紋」「１２．墨字列＋注記付＋二重紋」等では、注記墨字列と任意墨字列との双方を印刷するので、これらが選択されたときには、第２例の図２４等で前述と同様に、各種の地紋が選択された後且つ書式設定画面（Ｄ８７相当）に戻る前に、図外の墨字印刷編集・設定画面に遷移し、注記墨字列と、任意墨字列（例えば「のぼり＿いちばんせん」）と、選択された地紋と、の３印刷要素のレイアウトを設定し、その後、書式設定画面に戻る（Ｄ８７相当）。
【０１６３】
なお、第２例等と同様に、前述の点字情報編集画面（図１３のＤ１３）や上述の墨字印刷編集・設定画面において、漢字変換等したり書き換えたりすることで、墨字列「のぼり＿いちばんせん」を例えば「上り＿１番線」とすることも可能であり、例えば「１０．墨字列＋注記付＋墨点紋」が選択され、墨点共用地紋選択（内側地紋選択無し）で「４．カード」の外側地紋（墨点共用地紋）が選択され、その後の墨字印刷編集・設定画面において、図３４（ａ）に示すように、すなわち図２６（ａ）と同様に、注記文字列と任意文字列とが編集されて配置されれば、それらから成る墨字画像Ｇｐ４３と、点字画像Ｇｂ０と、を作成するので、外観画像Ｇ４３のようなラベルＬ４３を作成できる。
【０１６４】
また、例えば「１２．墨字列＋注記付＋二重紋」の場合も同様であり、「８．市松」の内側地紋（点字地紋）Ｊ４０および「４．カード」の外側地紋（墨点共用地紋）Ｊ４１、すなわちこれらから成る二重地紋（二重紋）Ｊ４２が選択され、その後の墨字印刷編集・設定画面において、図３４（ｂ）に示すように編集されて配置されれば、それらから成る墨字画像Ｇｐ４４と、点字画像Ｇｂ０と、を作成するので、外観画像Ｇ４４のラベルＬ４４を作成できる。また、同図（ｃ）に示すように、任意文字列が大きな文字サイズで前方に配置されれば、上述のラベルＬ４４を変化させたような、外観画像Ｇ４５のラベルＬ４５を作成できる。
【０１６５】
なお、上述した地紋印刷の第３例または第４例に、第１例や第２例で前述の外枠（外枠印刷）を組み合わせれば、晴眼者が点字部の存在やその位置を容易に認識可能なラベルを、さらに多様な形態で作成できるので、次に、これらについて、第５例として説明する。
【０１６６】
例えば、まず、書式設定によって、図３３で上述の各種ラベルＬ４０〜Ｌ４２等を作成できるように設定して、点字情報編集画面に戻った状態から（図２９のＤ７７等）、図１４〜図２７等の第１例や第２例で前述のスタイル選択によって、図２３で前述の各種ラベルＬ１０〜Ｌ１２を作成するときの、スタイル選択（外枠の選択・指定）を行えば、図３５に示すような、地紋と外枠とを組み合わせた各種のラベルＬ４６〜Ｌ４８等を作成できる。なお、以下では、説明の便宜上、書式設定が先に行われるように説明するが、スタイル選択の方を先に行っても同様のラベルを作成できる。
【０１６７】
例えば、図３３（ａ）のラベルＬ４０を作成できる書式設定がされた後、図２３（ａ）の外枠（「０１」の点字枠）Ｆ１０と同様に、点字枠Ｆ４６が設定され、再度、点字情報編集画面に戻ってから（図２９のＤ７７等）、印刷キーが押され、印刷割込が発生すると（図９のＩＮＴＧ）、図３５（ａ）に示すように、注記墨字列「注意！！＿点字表記があります。」と、「８．市松」の内側地紋（点字地紋）Ｊ４６と、「０１」の内側枠（点字枠）Ｆ４６と、を配置した墨字画像Ｇｐ４６と、点字画像Ｇｂ０と、を作成するので、その後の印刷キー押下により、前述と同様の墨字印刷および点字打刻によって、外観画像Ｇ４６のような墨点併記のラベルＬ４６を作成できる。
【０１６８】
同様に、例えば、図３３（ｂ）のラベルＬ４１の書式設定がされた後、図２３（ｂ）の外側枠（「１９」の墨点共用枠）Ｆ１１と同様に、墨点共用枠Ｆ４７が設定され、点字情報編集画面に戻って（Ｄ７７等）、印刷キー押下で印刷割込が発生すると（図９のＩＮＴＧ）、図３５（ｂ）に示すように、注記墨字列「注意！！＿点字表記があります。」と、「４．カード」の外側地紋（墨点共用地紋）Ｊ４７と、「１９」の外側枠（墨点共用枠）Ｆ４７と、を配置した墨字画像Ｇｐ４７と、点字画像Ｇｂ０と、を作成するので、同様にして、外観画像Ｇ４７のラベルＬ４７を作成できる。
【０１６９】
同様に、例えば、図３３（ｃ）のラベルＬ４２の書式設定がされた後、図２３（ｃ）と同様に、「０１」の内側枠（点字枠）Ｆ４６と「１９」の外側枠（墨点共用枠）Ｆ４７が設定され、点字情報編集画面で印刷割込が発生すると（Ｄ７７等、図９のＩＮＴＧ）、図３５（ｃ）に示すように、注記墨字列「注意！！＿点字表記があります。」と、「８．市松」の内側地紋（点字地紋）Ｊ４６と、「０１」の内側枠（点字枠）Ｆ４６と、これらの背景模様となる「４．カード」の外側地紋（墨点共用地紋）Ｊ４７と、これら全体を囲む「１９」の外側枠（墨点共用枠）Ｆ４７と、を配置して、注記文字列と二重地紋Ｊ４２と二重枠Ｆ４８から成る墨字画像Ｇｐ４８と、点字画像Ｇｂ０と、を作成するので、同様にして、外観画像Ｇ４８のラベルＬ４８を作成できる。
【０１７０】
また、同様に、例えば、書式設定によって、図３４で上述の各種ラベルＬ４３〜Ｌ４５等を作成できるように設定して、点字情報編集画面に戻った状態から（図２９のＤ７７等）、前述のスタイル選択によって、図２６で前述の各種ラベルＬ１９〜Ｌ２１を作成するときの、外枠の選択・指定を行えば、図３６に示すような、地紋Ｊ４９〜Ｊ５１と外枠Ｆ４９〜Ｆ５１とを組み合わせた各種のラベルＬ４９〜Ｌ５１等を作成できる。
【０１７１】
また、第２例の図２７（ａ）で前述と同様に、注記を「注意！！点字表記。この上に物を置かないよう願います。」のようにさらに詳しくしても良い。また、上述の第５例では、内側地紋（点字地紋）と内側枠（点字枠）、外側地紋（墨点共用地紋）と外側枠（墨点共用枠）、のような例を示したが、例えば図３７（ａ）に示す「４．カード」の外側地紋（墨点共用地紋）Ｊ５２と「１９」の内側枠（点字枠）Ｆ５２との組合せもできるし、もちろん、逆に内側地紋（点字地紋）と外側枠（墨点共用枠）との組合せもできる。
【０１７２】
また、２４ｍｍテープ幅（テープＴ１）までとしているが、前述の図２７（ｂ）〜（ｄ）のラベルＬ２３〜Ｌ２５等と同様に、大きな（特にテープ幅の広い）テープＴを扱えるようにすれば、図３７（ｂ）〜（ｄ）に示すラベルＬ５３〜Ｌ５５等のラベルを作成できる。これらの場合も、地紋Ｊ５３〜Ｊ５５に加えて、外枠（点字枠）Ｆ５３〜Ｆ５５を付加することによって、点字部の存在やその位置を、晴眼者がさらに容易に認識可能とすることができる。
【０１７３】
上述のように、前述の第１例や第２例と同様に、「墨字重ね」なので（図１２（ａ−３）参照）、打刻領域Ｅｂ（＝重畳領域Ｅｃ）は印刷領域Ｅｐ内にあり、このため、第３例〜第５例では、墨字印刷を用いて点字列の部分（点字部）の背景模様となる地紋Ｊ３０等（Ｊ３０〜Ｊ３２、Ｊ４０〜Ｊ５５）を容易に印刷でき、その地紋Ｊ３０等の範囲内に点字を打刻できるとともに、その地紋Ｊ３０等は、文字高サイズや文字幅サイズや文字間サイズ等々の墨字用の各種の印刷サイズに合う墨字用の地紋（墨字用地紋）の流用でなく、点字仕様のマスサイズやマス間サイズの仕様に従った点字用の地紋（点字用地紋）の地紋データに基づいて印刷するので、点字独特のサイズに合う点字用地紋Ｊ３０等を容易に配置・印刷することができ、この点字用地紋Ｊ３０等の印刷によって、晴眼者が点字部の存在やその位置を容易に認識可能なテープＴ（処理シート：ラベルＬ３０等（Ｌ３０〜Ｌ３２、Ｌ４０〜Ｌ５５））を、簡易に作成できる。なお、表示画面上で容易に各種の選択ができて操作性が高いことも第１例等と同様である。
【０１７４】
また、第４例や第５例では、点字仕様だけでなく、墨字仕様（印刷サイズ等）にも適合するように調整可能な「点字／墨字用地紋」（墨点共用地紋）を用いて、点字列の部分（点字部）の背景模様として印刷する。そして、これらの各例では、点字部のみの内側地紋と、墨字部を含む全体を含む外側地紋と、のいずれかあるいは双方（少なくとも一方）を印刷する。
【０１７５】
この場合、内側地紋としては、点字仕様のマスサイズやマス間サイズの仕様に従った地紋（すなわち点字地紋）が適し、第４例等では、内側地紋のときには、墨点共用地紋データに基づいて点字地紋を（言い換えると墨点共用地紋データを点字地紋データとして使用して点字地紋として）印刷するので、点字独特のサイズに合う点字地紋を容易に配置・印刷することができ、この点字地紋（内側地紋）の印刷によって、第３例と同様に、晴眼者が点字部の存在やその位置を容易に認識可能な処理シートを、簡易に作成できる。
【０１７６】
また、第４例等では、外側地紋も印刷できるが、外側地紋の場合、墨字列（墨字部）と点字列（点字部）との配置によって、墨字仕様の文字サイズや文字間サイズの仕様に従った地紋（すなわち墨字地紋）が適しているか、上記同様に点字地紋が適しているか、が変化する。そして、この場合、それぞれの配置に対応して適合する方の仕様の地紋を印刷する。すなわち、墨点共用地紋データを墨字地紋データとして使用して墨字地紋として印刷するか、墨点共用地紋データを点字地紋データとして使用して点字地紋として印刷するか、などを、配置に応じて、臨機応変に対応して変化させる。
【０１７７】
例えば、図３３（ｂ）（ｃ）のラベルＬ４１、Ｌ４２、図３４（ａ）（ｂ）のラベルＬ４３、Ｌ４４では、点字列側（点字部）の長さが僅かに長いとすると、外側地紋Ｊ４１、Ｊ４３等は、点字地紋として、墨点共用地紋データを点字地紋データとして使用して印刷され、同じ地紋Ｊ４１等の範囲内に墨字部と点字部とを一緒に配置したテープＴ（処理シート：ラベルＬ４１等）を、簡易に作成できる。
【０１７８】
また、これらのうち、特にラベルＬ４２、Ｌ４４では、外側地紋Ｊ４１等の選択が、既に選択された点字地紋Ｊ４０を内側地紋として、墨字列（墨字部）も内部に囲む外側地紋としての選択となり、この選択によって、点字部の背景地紋を２重にしたテープＴ（処理シート：ラベルＬ４２等）を、簡易に作成できるようになっている。
【０１７９】
また、例えば図３４（ｃ）のラベルＬ４５では、墨字列側（墨字部）の長さが長いので、外側地紋Ｊ４１ｓは、墨字地紋として、墨点共用地紋データを墨字地紋データとして使用して印刷される。すなわち、外側地紋Ｊ４１ｓの選択が、既に選択された点字地紋Ｊ４０を内側地紋として、墨字部も内部に囲む外側地紋としての墨字地紋の選択となり、この選択によって、点字部の背景地紋を点字地紋と墨字地紋とで２重にしたテープＴ（処理シート：ラベルＬ４５等）を、簡易に作成できるようになっている。
【０１８０】
すなわち、第４例等では、上述のように、点字仕様に従った点字独特のサイズに合う点字地紋だけでなく、墨字仕様に従ったサイズに合う墨字地紋も、容易に配置・印刷できるので、点字地紋により晴眼者が点字部の存在やその位置を容易に認識可能としつつ、墨字や墨字地紋との組合せにより多彩な処理シートを、簡易に作成できる。
【０１８１】
また、第５例では、上記の第４例と同様の地紋印刷に加えて、第１例や第２例と同様に、点字仕様に従った点字枠Ｆ４６等（Ｆ４６〜Ｆ５０、Ｆ５２〜Ｆ５５）も印刷できるので（図３５〜図３７等参照）、この点字枠Ｆ４６等の印刷によって、晴眼者が点字部の存在やその位置を、さらに容易且つ明確に認識可能なテープＴ（処理シート：ラベルＬ４６等）を、簡易に作成できる。
【０１８２】
また、これらのうち、例えば地紋Ｊ４６の範囲の外縁に沿った点字枠Ｆ４６、同様に地紋Ｊ４７、Ｊ４９の範囲のそれぞれ外縁に沿った点字枠Ｆ４７、Ｆ４９では、地紋Ｊ４６等の外縁に沿った点字枠Ｆ４６等の印刷によって、地紋Ｊ４６等をさらにくっきりと目立たせることができ、これによって、点字部の存在やその位置を、さらに容易且つ明確に認識可能とすることができる。また、墨字列も内部に囲む点字枠（の点字枠データ）Ｆ４７、Ｆ４９等を選択することで、墨字部と点字部とを一緒に枠囲いしたテープＴ（処理シート：ラベルＬ４７等）を、簡易に作成できる。
【０１８３】
また、第５例では、上記の点字枠Ｆ４６等のように点字仕様に従った枠（点字枠）ばかりでなく、墨字仕様に従ったサイズに合う墨字枠Ｆ４９ｓ等（図３６参照）を、容易に配置・印刷できるので、点字用地紋Ｊ４０等や点字枠Ｆ１０等により晴眼者が点字部の存在やその位置を容易に認識可能としつつ、墨字や墨字枠Ｆ４９ｓ等との組合せにより多彩なテープＴ（処理シート：ラベルＬ５１等）を、簡易に作成できる。
【０１８４】
また、第４例や第５例では、第２例等と同様に、点字列の存在を示す注記を印刷できるので（図３３〜図３７等参照）、晴眼者がさらに容易に点字部の存在やその位置を認識可能なテープＴ（処理シート：ラベルＬ４０等）を、簡易に作成できる。
【０１８５】
次に、ラベル作成装置１では、晴眼者が点字部の存在やその位置を容易に認識可能とするためのさらに別の方法として、点字の背景模様とする地紋の一種として、任意の行ピッチと列ピッチを有する目盛り（グリッド）を印刷（付加）できるので、これについて、第６例として説明する。
【０１８６】
例えば図３８に示すように、前述の点字地紋選択画面の状態から（Ｄ７３：図２８および図２９と共通）、ここでは、点字部の背景として目盛りを設定・印刷したいので、「９．目盛り」が選択確定されたとすると（Ｄ９０）、点字目盛りの選択のため、その下位の選択画面（点字目盛り選択画面）に遷移する（Ｄ９１）。
【０１８７】
この状態では（Ｄ９１）、選択肢として、行のみの目盛り（グリッド）を印刷するための「１．行のみ」、列のみの「２．列のみ」、行と列の双方の目盛り（グリッド）を印刷する「３．行＋列」のいずれかを選択・指定できる（図４１参照）。ここでは、「３．行＋列」が選択確定されたとすると（Ｄ９２）、目盛りのピッチの選択のため、その下位の選択画面のうち、「行＋列」なので、まず、行ピッチの選択画面（行目盛りピッチ選択画面）に遷移する（Ｄ９３）。
【０１８８】
この状態では（Ｄ９３：図３８と図３９で共通）、選択肢として、行ピッチを数値の直接入力により任意の数値にできる「１．フリー」、予め定めた特定の数値から選択する「２．数値選択」、点字仕様（具体的には点字のマスの縦方向のピッチである２．４ｍｍ：図４（ａ）参照）に合わせる「３．点字ピッチ（２．４ｍｍ）」のいずれかを選択・指定できる（図４１参照）。ここでは、図３９に示すように、「３．点字ピッチ（２．４ｍｍ）」が選択確定されたとすると（Ｄ９４）、「行＋列」なので、次は、列ピッチの選択画面（列目盛りピッチ選択画面）に遷移する（Ｄ９５）。
【０１８９】
この状態では（Ｄ９５）、行ピッチと同様に、選択肢として、列ピッチを任意の数値で直接入力できる「１．フリー」、特定の数値から選択する「２．数値選択」、点字仕様（具体的には点字の並び方向（横方向）のマスサイズ略４．２ｍｍおよびマス間サイズ略１．２ｍｍ：図４（ａ）参照）に合わせる「３．点字ピッチ（４．２ｍｍ＋１．２ｍｍ）」のいずれかを選択・指定できる（図４１参照）。ここでは、「３．点字ピッチ（４．２っｍ＋１．２ｍｍ）」が選択確定されたとすると（Ｄ９６）、次は、彩度変更のための選択・設定画面（彩度変更設定画面）に遷移する（Ｄ９７）。
【０１９０】
この彩度変更設定画面の状態では（Ｄ９７）、「彩度」、すなわち白、灰、黒色の混じり具合を、目盛りの升目（目盛り区間）単位で変化させ、それを複数個単位毎に循環させる（実施形態では２個単位で循環なので、升目毎に交互に変化させることになる）ための「彩度変更」を、行のみ、列のみ、行と列の両方に設定できる。なお、この「彩度変更」はモノクロでは「濃度変更」を意味する。
【０１９１】
そこで、この状態では（Ｄ９７：図３９と図４０で共通）、選択肢として、「彩度変更」を設定しない「１．なし」、行のみに設定する「２．行のみ」、列のみに設定する「３．列のみ」、双方に設定する「４．行＋列」のいずれかを選択・指定できる。ここでは、図４０に示すように、「４．行＋列」が選択確定されたとすると（Ｄ９８）、「行＋列」で「行：点字ピッチ、彩度変更有り」且つ「列：点字ピッチ、彩度変更有り」の点字目盛りを設定した後、元の（上位の）書式設定画面に戻る（Ｄ９９：図２９のＤ７４と同じ）。
【０１９２】
このため、この状態から（Ｄ９９）、図２９で前述のように、地紋設定の書式設定の操作を終了させるべく、「終わり？」→「終わり？」が選択確定されたとすると、書式設定の操作を終了して、さらに上位の（元の）点字情報編集画面に戻る（図２９のＤ７５〜Ｄ７７等と同じ）。
【０１９３】
そして、この場合、この状態では（Ｄ７７等）、「行＋列」で「行：点字ピッチ、彩度変更有り」且つ「列：点字ピッチ、彩度変更有り」の点字目盛りが設定されているので、印刷キーが押されると（印刷割込発生：図９のＩＮＴＧ）、図４２（ａ）に示すように、「墨字並行」の墨字部の位置に「のぼり＿いちばんせん」の墨字列を配置するとともに、点字部を囲み且つ背景となるように、それぞれ「点字ピッチ、彩度変更有り」の行と列の目盛り（グリッド）Ｍ６０を配置した墨字画像Ｇｐ６０と、前述同様の点字画像Ｇｂ０と、を作成するので、その後の印刷キー押下により、前述同様の墨字印刷および点字打刻によって、外観画像Ｇ６０のような墨点併記のラベルＬ６０を作成できる。
【０１９４】
なお、同様にして、「１．行のみ」（Ｄ９１参照）で「行：点字ピッチ、彩度変更有り」（Ｄ９４、Ｄ９７等参照）の点字目盛りが選択・設定されたときには、図４２（ｂ）に示すように、「のぼり＿いちばんせん」の墨字列とともに点字部の背景として「点字ピッチ、彩度変更有り」の行の目盛りＭ６１を配置した墨字画像Ｇｐ６１と、点字画像Ｇｂ０と、を作成するので、前述同様の墨字印刷および点字打刻によって、外観画像Ｇ６１のようなラベルＬ６１を作成できる。
【０１９５】
また、同様に、「２．列のみ」（Ｄ９１等参照）で「列：点字ピッチ、彩度変更有り」（Ｄ９６、Ｄ９７等参照）の点字目盛りが選択・設定されたときには、図４２（ｃ）に示すように、墨字列とともに「点字ピッチ、彩度変更有り」の列の目盛りＭ６２を配置した墨字画像Ｇｐ６２と、点字画像Ｇｂ０と、を作成するので、同様に、外観画像Ｇ６２のラベルＬ６２を作成できる。
【０１９６】
また、仮に、「３．行＋列」でも（Ｄ９２等参照）、彩度変更無しの「１．なし」では（Ｄ９７等参照）、すなわち「行：点字ピッチ、彩度変更無し」且つ「列：点字ピッチ、彩度変更無し」の点字目盛りでは、図４２（ｄ）に示すように、行列共に彩度変更無しの目盛りＭ６３を配置した墨字画像Ｇｐ６３により、外観画像Ｇ６３のラベルＬ６３を作成できる。
【０１９７】
また、彩度変更を「３．列のみ」とすれば（Ｄ９７等参照）、すなわち「行：点字ピッチ、彩度変更無し」且つ「列：点字ピッチ、彩度変更有り」の点字目盛りでは、図４２（ｅ）に示すように、列のみに彩度変更有りの目盛りＭ６４を配置した墨字画像Ｇｐ６４により、外観画像Ｇ６４のラベルＬ６４を作成できる。
【０１９８】
次に、さらに多様な形態で目盛り（グリッド）を印刷（付加）できるので、これについて、第７例として説明する。
【０１９９】
例えば図３１〜図３２で前述のように、書式設定画面の状態から（Ｄ７１：図２８と共通）、点字仕様だけでなく墨字仕様にも適合する「点字／墨字用地紋」（墨点共用地紋）が選択確定され、墨点表記選択画面の状態で「６．注記付き＋二重地紋」が選択確定され（Ｄ８０〜Ｄ８２）、墨点共用地紋の選択のため、その下位の墨点地紋選択画面に遷移した状態では（Ｄ８３：図３１と図３２と図４３で共通）、各種の地紋のイメージが選択肢となっているので、いずれかを選択・指定できるが、ここでは、「二重地紋」なので、内側と外側の選択があり、まず、内側地紋を選択する。
【０２００】
ここでは、図４３に示すように、上述の状態から（Ｄ８３）、内側地紋として第６例と同じ「９．目盛り」が選択確定されたとすると（Ｄ１１０）、次に第６例の点字目盛り選択画面（図３８のＤ９１）と同様の選択画面（墨点目盛り選択画面）に遷移する（Ｄ１１１）。
【０２０１】
この状態から（Ｄ１１１）、目盛り（グリッド）が「１．行のみ」「２．列のみ」「３．行＋列」のいずれであるかの選択がされ、行や列についてピッチが選択され、ここでは前述と同じ「行＋列」で「行：点字ピッチ、彩度変更有り」且つ「列：点字ピッチ、彩度変更有り」の墨点目盛りが選択確定されたとすると（Ｄ１１１→図３８〜図４０のＤ９２〜Ｄ９７と同様→図４３のＤ１２０）、次に、外側地紋（墨点共用地紋）の選択画面に遷移するので（Ｄ１２１：図３２のＤ８５と同じ）、第４例と同様にして「４．カード」の外側地紋が選択確定されたとすると（図３２のＤ８６等）、「６．注記付き＋二重地紋」で、「行：点字ピッチ、彩度変更有り」且つ「列：点字ピッチ、彩度変更有り」の「行＋列」の墨点目盛りの内側地紋および「４．カード」の外側地紋を設定した後、元の（上位の）書式設定画面に戻り（Ｄ８７等）、地紋設定の書式設定の操作を終了させるべく、「終わり？」→「終わり？」が選択確定されたとすると（図２９のＤ７５〜Ｄ７６等）、上位の点字情報編集画面に戻る（Ｄ７７等）。
【０２０２】
そして、ここでは、「６．注記付き＋二重地紋」で、「行：点字ピッチ、彩度変更有り」且つ「列：点字ピッチ、彩度変更有り」の「行＋列」の墨点目盛りの内側地紋および「４．カード」の外側地紋が設定されているので、この状態から印刷キーが押されると（印刷割込発生：図９のＩＮＴＧ）、図４４（ｄ）に示すように、また第２例の図２３（ｃ）や第４例の図３３（ｃ）で前述と同様に、「墨字並行」の墨字部の位置の注記墨字列「注意！！＿点字表記があります。」とともに、「行：点字ピッチ、彩度変更有り」且つ「列：点字ピッチ、彩度変更有り」の「行＋列」の墨点目盛りの内側地紋（点字地紋）Ｍ７０（図４２のＭ６０と同じ）および「４．カード」の外側地紋（墨点共用地紋）Ｊ４１から成る二重地紋（二重紋）Ｍ７３、を配置した墨字画像Ｇｐ７３と、点字画像Ｇｂ０と、を作成するので、その後の印刷キー押下により、前述と同様の墨字印刷および点字打刻によって、外観画像Ｇ７３のような墨点併記のラベルＬ７３を作成できる。
【０２０３】
なお、第２例や第４例等と同様に、墨点表記選択画面（図３１のＤ８１〜Ｄ８２等）での各選択肢のうち、まず、「２．注意表記付き」は、「６．注記付き＋二重地紋」の「二重地紋」を単一の点字地紋に代えたものなので、これが選択されれば、例えば図４４（ａ）に示すように、注意表記「注意！！＿点字表記があります。」と「行：点字ピッチ、彩度変更有り」且つ「列：点字ピッチ、彩度変更有り」の「行＋列」の墨点目盛りの内側地紋（点字地紋）Ｍ７０を配置した墨字画像Ｇｐ７０と、点字画像Ｇｂ０と、を作成するので、印刷キー押下により、前述同様に、外観画像Ｇ７０の墨点併記のラベルＬ７０を作成できる。
【０２０４】
また、「４．注記付き＋墨点地紋」は、上述の「６．注記付き＋二重囲み」の「二重地紋」を「墨点地紋」に代えたものなので、これが選択され且つ外側地紋として例えば「行：点字ピッチ、彩度変更有り」の「行のみ」の墨点目盛りが選択されたときには、例えば図４４（ｂ）に示すように、注意表記「注意！！＿点字表記があります。」と「行：点字ピッチ、彩度変更有り」の「行のみ」の墨点目盛りの外側地紋（墨点共用地紋）Ｍ７１を配置した墨字画像Ｇｐ７１と、点字画像Ｇｂ０と、を作成するので、印刷キー押下により同様に、外観画像Ｇ７１のラベルＬ７１を作成できる。
【０２０５】
なお、上述の「６．注記付き＋二重囲み」の「二重地紋」の外側地紋として、上述の「行：点字ピッチ、彩度変更有り」の「行のみ」の墨点目盛りが選択されたときには、例えば図４４（ｃ）に示すように、注意表記「注意！！＿点字表記があります。」と「行：点字ピッチ、彩度変更有り」且つ「列：点字ピッチ、彩度変更有り」の「行＋列」の墨点目盛りの内側地紋（点字地紋）Ｍ７０および「行：点字ピッチ、彩度変更有り」の「行のみ」の墨点目盛りの外側地紋（墨点共用地紋）Ｍ７１から成る二重紋（二重目盛り）Ｍ７２とを配置した墨字画像Ｇｐ７２と、点字画像Ｇｂ０と、を作成するので、印刷キー押下により同様に、外観画像Ｇ７２のラベルＬ７２を作成できる。
【０２０６】
また、第５例と同様に、外枠との組合せも可能である。例えば上述の図４４（ａ）のラベルＬ７０を作成できる書式設定がされた後、図２３（ａ）の外枠（「０１」の点字枠）Ｆ１０と同様に、点字枠Ｆ７４が設定され、再度、点字情報編集画面に戻ってから（図２９のＤ７７等）、印刷キーが押されると（印刷割込発生：図９のＩＮＴＧ）、図４５（ａ）に示すように、図４４（ａ）の墨字画像Ｇｐ７０に点字枠Ｆ７４を付加した墨字画像Ｇｐ７４と、点字画像Ｇｂ０と、を作成するので、印刷キー押下により同様に、外観画像Ｇ７４のラベルＬ７４を作成できる。
【０２０７】
また、同様に、図４４（ｂ）のラベルＬ７１の書式設定がされた後、図２３（ｂ）の外側枠（「１９」の墨点共用枠）Ｆ１１と同様に、墨点共用枠Ｆ７５が設定され、点字情報編集画面に戻って（Ｄ７７等）、印刷キーが押されると（印刷割込発生：図９のＩＮＴＧ）、図４５（ｂ）に示すように、図４４（ｂ）の墨字画像Ｇｐ７１に墨点共用枠Ｆ７５を付加した墨字画像Ｇｐ７５と、点字画像Ｇｂ０と、を作成するので、印刷キー押下により同様に、外観画像Ｇ７５のラベルＬ７５を作成できる。
【０２０８】
同様に、図４４（ｃ）のラベルＬ７２の書式設定がされた後、図２３（ｃ）と同様に、「０１」の内側枠（点字枠）Ｆ７４と「１９」の外側枠（墨点共用枠）Ｆ７５から成る二重外枠（二重枠）Ｆ７６が設定され、点字情報編集画面で印刷割込が発生すると（Ｄ７７等、図９のＩＮＴＧ）、図４５（ｃ）に示すように、図４４（ｃ）の墨字画像Ｇｐ７２に二重枠Ｆ７６を付加した墨字画像Ｇｐ７６と、点字画像Ｇｂ０と、を作成するので、同様にして、外観画像Ｇ７６のラベルＬ７６を作成できる。
【０２０９】
図４４（ｄ）のラベルＬ７３についても同様であり、スタイル選択で二重枠Ｆ７７（上述の二重枠Ｆ７６と同じ）が設定されれば、図４５（ｄ）に示すように、図４４（ｄ）の墨字画像Ｇｐ７３に二重枠Ｆ７７を付加した墨字画像Ｇｐ７７により、同様にして、外観画像Ｇ７７のラベルＬ７７を作成できる。
【０２１０】
なお、「墨字列＋」と「＋注記付」が重複する「８．墨字列＋注記付」「１０．墨字列＋注記付＋墨点紋」「１２．墨字列＋注記付＋二重紋」等では、注記墨字列と任意墨字列との双方を印刷するので、これらが選択されたときには、第２例の図２４等で前述と同様に、各種の地紋が選択された後且つ書式設定画面（Ｄ８７相当）に戻る前に、図外の墨字印刷編集・設定画面に遷移し、注記墨字列と、任意墨字列（例えば「のぼり＿いちばんせん」）と、選択された地紋（目盛りを含む）と、の３印刷要素のレイアウトを設定し、その後、書式設定画面に戻る（Ｄ８７相当）。
【０２１１】
また、第２例等と同様に、前述の点字情報編集画面（図１３のＤ１３）や上述の墨字印刷編集・設定画面において、漢字変換等や書き換えにより、墨字列「のぼり＿いちばんせん」を例えば「上り＿１番線」とすることも可能であり、例えば「１２．墨字列＋注記付＋二重紋」が選択され、「行：点字ピッチ、彩度変更有り」且つ「列：点字ピッチ、彩度変更有り」の「行＋列」の墨点目盛りの内側地紋（点字地紋）Ｍ７８（図４２のＭ６０等と同じ）および「４．カード」の外側地紋（墨点共用地紋）Ｊ７８（図３３のＪ４１等と同じ）から成る二重紋が選択され、その後の墨字印刷編集・設定画面において、図４６（ａ）に示すように編集されて配置されれば、それらから成る墨字画像Ｇｐ７８と、点字画像Ｇｂ０と、を作成するので、外観画像Ｇ７８のラベルＬ７８を作成できる。
【０２１２】
また、この場合も同様に、上述のラベルＬ７８の書式設定がされた後、図２３（ｃ）や図２６（ｂ）と同様に、「０１」の内側枠（点字枠）Ｆ１０と「１９」の外側枠（墨点共用枠）Ｆ１９（Ｆ１０と同じ）から成る二重枠Ｆ７９（図２６のＦ２０や図３６のＦ５０等と同じ）が設定され、点字情報編集画面で印刷割込が発生すると（Ｄ７７等、図９のＩＮＴＧ）、図４６（ｂ）に示すように、同図（ａ）で上述の墨字画像Ｇｐ７８に二重枠Ｆ７９を付加した墨字画像Ｇｐ７９と、点字画像Ｇｂ０と、を作成するので、同様にして、外観画像Ｇ７９のラベルＬ７９を作成できる。
【０２１３】
また、図２６（ｃ）等と同様に、任意文字列が大きな文字サイズで前方に配置されれば、図４６（ｃ）に示すように、上述のラベルＬ７９を変化させたような、外観画像Ｇ８０のラベルＬ８０を作成できる。
【０２１４】
なお、第２例の図２７（ａ）や第４例の図３７（ａ）で前述と同様に、例えば図４７（ａ）に示すように、注記を「注意！！点字表記。この上に物を置かないよう願います。」のようにさらに詳しくしても良い。
【０２１５】
また、２４ｍｍテープ幅（テープＴ１）までとしているが、前述の図２７（ｂ）〜（ｄ）のラベルＬ２３〜Ｌ２５や図３７（ｂ）〜（ｄ）のラベルＬ５３〜５５等と同様に、大きな（特にテープ幅の広い）テープＴを扱えるようにすれば、図４７（ｂ）〜（ｄ）に示すラベルＬ５３〜Ｌ５５等のラベルを作成できる。これらの場合も、目盛り（点字目盛り）Ｍ８２〜Ｍ８４に加えて、外枠（点字枠）Ｆ８２〜Ｆ８４を付加することによって、点字部の存在やその位置を、晴眼者がさらに容易に認識可能とすることができる。
【０２１６】
上述のように、前述の第１例〜第５例等と同様に、「墨字重ね」なので（図１２（ａ−３）参照）、打刻領域Ｅｂ（＝重畳領域Ｅｃ）は印刷領域Ｅｐ内にあり、このため、第６例および第７例では、墨字印刷を用いて点字列の部分（点字部）の点字列を囲む範囲内に縦や横の目盛りＭ６０等（Ｍ６０〜Ｍ６４、Ｍ７０〜Ｍ８４）を容易に印刷でき、その目盛りＭ６０等の範囲内に点字を打刻できるとともに、その目盛りＭ６０等は、文字高サイズや文字幅サイズや文字間サイズ等々の墨字用の各種の印刷サイズに合う墨字用の目盛り（墨字用目盛り）の流用でなく、点字仕様のマスサイズやマス間サイズに従った点字用の目盛り（点字用目盛り）の目盛りデータに基づいて印刷するので、点字独特のサイズに合う点字用目盛りＭ６０等を容易に配置・印刷することができ、この点字用目盛りＭ６０等の印刷によって、晴眼者が点字部の存在やその位置を容易に認識可能なテープＴ（処理シート：ラベルＬ６０等（Ｌ６０〜Ｌ６４、Ｌ７０〜Ｌ８４））を、簡易に作成できる。
【０２１７】
なお、点字のマスの区切りを明確化する目盛りを印刷することで、打刻された点字を晴眼者が読み取りやすい旨のさらなる効果も得られる。また、「彩度変更」（モノクロでは「濃度変更」）を、行のみ、列のみ、行と列の両方に設定でき、これにより、さらに目盛りを見やすくなり、この結果、さらに点字を判別しやすくなる。また、表示画面上で容易に各種の選択ができて操作性が高いことも第１例等と同様である。
【０２１８】
また、第７例では、第４例や第５例と同様に、点字仕様だけでなく、墨字仕様（印刷サイズ等）にも適合するように調整可能な「点字／墨字用地紋」（墨点共用地紋）下の墨点共用目盛り（墨点目盛り）を用いて、点字列の部分（点字部）の背景模様として印刷する。すなわち、点字部のみの内側目盛りと、墨字部を含む全体を含む外側目盛りと、のいずれかあるいは双方（少なくとも一方）を印刷するが、内側は点字仕様に従った点字目盛り、外側は墨点共用の墨点目盛りが適しているので、これらを使い分けられるようになっている。
【０２１９】
例えば、図４４（ｂ）（ｃ）および図４５（ｂ）（ｃ）のラベルＬ７１等（Ｌ７１、Ｌ７２、Ｌ７５、Ｌ７６）では、点字列側（点字部）の長さが僅かに長いとすると、外側地紋（外側目盛り）Ｍ７１、Ｍ７５等は、点字目盛りとして、墨点目盛りデータを点字目盛りデータとして使用して印刷され、同じ目盛りＭ７１等の範囲内に墨字部と点字部とを一緒に配置したテープＴ（処理シート：ラベルＬ７１等）を、簡易に作成できる。
【０２２０】
また、これらのうち、特にラベルＬ７２、Ｌ７６では、外側目盛りＪ４１等の選択が、既に選択された点字目盛りＭ７０等を内側目盛りとして、墨字列（墨字部）も内部に囲む外側目盛りとしての選択となり、この選択によって、点字部の目盛りを２重にしたテープＴ（処理シート：ラベルＬ７２等）を、簡易に作成できるようになっている。
【０２２１】
また、ここで仮に、例えば図４６（ｃ）のラベルＬ８０と同様の形態では、墨字列側（墨字部）の長さが長いので、外側地紋Ｊ８０の代わりに何らかの外側目盛りが選択されれば、墨字目盛りとして、墨点目盛りデータを墨字目盛りデータとして使用して印刷される。
【０２２２】
また、第７例では、上記の第６例と同様の目盛り印刷に加えて、第１例や第２例と同様に、点字仕様に従った点字枠Ｆ７４等（Ｆ７４〜Ｆ７７、Ｆ７９、Ｆ８０のＦ１９ｓ、Ｆ８１〜Ｆ８４）も印刷できるので（図４５〜図４７等参照）、この点字枠Ｆ７４等の印刷によって、晴眼者が点字部の存在やその位置を、さらに容易且つ明確に認識可能なテープＴ（処理シート：ラベルＬ７４等）を、簡易に作成できる。
【０２２３】
また、これらのうち、例えば目盛りＭ７４の範囲の外縁に沿った点字枠Ｆ７４、同様に目盛りＭ７５、Ｍ７６、Ｍ７９〜Ｍ８１の範囲のそれぞれ外縁に沿った点字枠Ｆ７５、Ｆ７６、Ｆ７９〜Ｆ８１の各Ｆ１０等では、目盛りＭ７４等の外縁に沿った点字枠Ｆ７４等の印刷によって、目盛りＭ７４等をさらにくっきりと目立たせることができ、これによって、点字部の存在やその位置を、さらに容易且つ明確に認識可能とすることができる。また、墨字列も内部に囲む点字枠（の点字枠データ）Ｆ７５等（Ｆ７５、Ｆ７９〜Ｆ８１のＦ１９、Ｆ１９ｓ、Ｆ１１等）を選択することで、墨字部と点字部とを一緒に枠囲いしたテープＴ（処理シート：ラベルＬ７５等）を、簡易に作成できる。
【０２２４】
また、第７例では、上記の点字枠Ｆ７４等のように点字仕様に従った枠（点字枠）ばかりでなく、墨字仕様に従ったサイズに合う（二重枠Ｆ８０の）墨字枠Ｆ１９ｓ等（図４６参照）を、容易に配置・印刷できるので、点字用目盛りＭ８０等や点字枠Ｆ１０等により晴眼者が点字部の存在やその位置を容易に認識可能としつつ、墨字や墨字枠Ｆ１９ｓ等との組合せにより多彩なテープＴ（処理シート：ラベルＬ８０等）を、簡易に作成できる。
【０２２５】
また、第７例では、第２例、第４例、第５例等と同様に、点字列の存在を示す注記を印刷できるので（図４４〜図４７等参照）、晴眼者がさらに容易に点字部の存在やその位置を認識可能なテープＴ（処理シート：ラベルＬ７０等）を、簡易に作成できる。
【０２２６】
なお、上述の第１例〜第７例における操作は、ラベル作成装置１の表示画面上で行ったが、前述のように、ラベル作成装置１は、データサーバＤＳから各種データや各種指令を受信して各種処理を行うこともできるので、データサーバＤＳ等の表示画面上で操作して、各種ラベルを作成するための各種データを作成した後に、ラベル作成装置１において（データサーバＤＳからの指令等により）墨字印刷や点字打刻を行うこともできる。この場合、例えばパソコン等のデータサーバＤＳであれば、比較的大きな表示画面上で操作等ができるので、さらに操作性が高く、このため、晴眼者が点字部の存在やその位置を容易に認識可能なテープＴ（処理シート：各種ラベル等）を、さらに簡易に作成できる。また、上述では処理シートとしてテープＴを用いたが、墨字印刷と点字打刻が行えるものであれえば、テープで無くても良い。
【０２２７】
なお、上述した実施形態において採用された文字情報処理装置としての機能あるいは各種処理方法（文字情報処理方法など）は、上述のラベル作成装置１ばかりでなく、プログラム処理可能な各種の装置によって処理されるプログラムとして適用でき、その種のプログラムを記憶するための記憶媒体にも適用でき、この種のプログラムを記憶しておいて、あるいは記憶媒体等から読み出して、実行することにより、晴眼者が点字部の存在やその位置を容易に認識可能な処理シートを、簡易に作成できる。
【０２２８】
また、上記の記憶媒体としては、ＣＤ−ＲＯＭ、フラッシュＲＯＭ、メモリカード（コンパクトフラッシュ（登録商標）、スマートメディア、メモリースティック等）、コンパクトディスク、光磁気ディスク、デジタルバーサタイルディスクおよびフレキシブルディスク等を利用することができる。もちろん、その他、要旨を逸脱しない範囲で、適宜変更も可能である。
【図面の簡単な説明】
【０２２９】
【図１】実施形態に係るラベル作成装置の外観斜視図。
【図２】図１のラベル作成装置の開蓋状態の外観斜視図。
【図３】図１のラベル作成装置の制御系の概略ブロック図。
【図４】６点点字の説明図および打刻凸部の断面図。
【図５】打刻ユニットの平面図および断面図。
【図６】点字打刻部におけるテープの搬送を説明する説明図。
【図７】実施形態に係るラベル作成システムの第１の構成例を示す説明図。
【図８】第２の構成例を示す、図７と同様の説明図。
【図９】ラベル作成装置の全体処理のフローチャート。
【図１０】図９の処理モードに関する補足説明図。
【図１１】図９のテープ幅の相違に関する墨点並行設定時の補足説明図。
【図１２】墨点重ね設定時の、図１１と同様の補足説明図。
【図１３】第１例によるラベル作成の際の操作例の説明図。
【図１４】図１３に続く、図１３と同様の説明図。
【図１５】図１４に続く、図１３と同様の説明図。
【図１６】外枠・表組の選択肢の階層構成を示す説明図。
【図１７】図１５に続く、図１３と同様の説明図。
【図１８】図１７に続く、図１３と同様の説明図。
【図１９】第１例で作成可能なラベルの例を示す説明図。
【図２０】第２例の、図１３と同様の説明図。
【図２１】図２０に続く、図２０と同様の説明図。
【図２２】図２１に続く、図２０と同様の説明図。
【図２３】第２例の、図１９と同様の説明図。
【図２４】別の例を示す、図２３と同様の説明図。
【図２５】さらに別の例を示す、図２３と同様の説明図。
【図２６】さらに別の例を示す、図２３と同様の説明図。
【図２７】さらに別の例を示す、図２３と同様の説明図。
【図２８】第３例の、図１３と同様の説明図。
【図２９】図２８に続く、図２８と同様の説明図。
【図３０】第３例の、図１９と同様の説明図。
【図３１】第４例の、図１３と同様の説明図。
【図３２】図３１に続く、図３１と同様の説明図。
【図３３】第４例の、図１９と同様の説明図。
【図３４】別の例を示す、図３３と同様の説明図。
【図３５】第５例の、図１９と同様の説明図。
【図３６】別の例を示す、図３５と同様の説明図。
【図３７】さらに別の例を示す、図３５と同様の説明図。
【図３８】第６例の、図１３と同様の説明図。
【図３９】図３８に続く、図３８と同様の説明図。
【図４０】図３９に続く、図３８と同様の説明図。
【図４１】目盛りの選択肢の階層構成を示す説明図。
【図４２】第６例の、図１９と同様の説明図。
【図４３】第７例の、図１３と同様の説明図。
【図４４】第７例の、図１９と同様の説明図。
【図４５】別の例を示す、図４４と同様の説明図。
【図４６】さらに別の例を示す、図４４と同様の説明図。
【図４７】さらに別の例を示す、図４４と同様の説明図。
【符号の説明】
【０２３０】
１…ラベル作成装置（文字情報処理装置）  ２…装置ケース  ３…キーボード  ４…ディスプレイ  ７…印刷ヘッド  １１０…操作部  １２０…墨字印刷部  １４０…切断部  １５０…点字打刻部  １７０…検出部  １８０…駆動部  １９０…電源部  ２００…制御部  Ｂ…点字  Ｃ…テープカートリッジ  Ｄｘｘ…表示画面  ＤＳ…データサーバ  Ｅｂ…点字打刻領域（打刻領域）  Ｅｃ…重畳領域  Ｅｐ…墨字印刷領域（印刷領域）  Ｇｘｘ…画像  ＩＦ…インタフェース  Ｌｘｘ…ラベル  ＮＷ…ネットワーク  ＰＣｘ…パソコン  Ｐ…墨字  ＳＹＳ…印刷システム  ＴＡ…ターミナルアダプタ  ＷＳｘ…ワークステーション  Ｔ、Ｔ１、Ｔ２、Ｔ３……テープ
【図１】
2006248106.tif 000003
【図２】
2006248106.tif 000004
【図３】
2006248106.tif 000005
【図４】
2006248106.tif 000006
【図５】
2006248106.tif 000007
【図６】
2006248106.tif 000008
【図７】
2006248106.tif 000009
【図８】
2006248106.tif 000010
【図９】
2006248106.tif 000011
【図１０】
2006248106.tif 000012
【図１１】
2006248106.tif 000013
【図１２】
2006248106.tif 000014
【図１３】
2006248106.tif 000015
【図１４】
2006248106.tif 000016
【図１５】
2006248106.tif 000017
【図１６】
2006248106.tif 000018
【図１７】
2006248106.tif 000019
【図１８】
2006248106.tif 000020
【図１９】
2006248106.tif 000021
【図２０】
2006248106.tif 000022
【図２１】
2006248106.tif 000023
【図２２】
2006248106.tif 000024
【図２３】
2006248106.tif 000025
【図２４】
2006248106.tif 000026
【図２５】
2006248106.tif 000027
【図２６】
2006248106.tif 000028
【図２７】
2006248106.tif 000029
【図２８】
2006248106.tif 000030
【図２９】
2006248106.tif 000031
【図３０】
2006248106.tif 000032
【図３１】
2006248106.tif 000033
【図３２】
2006248106.tif 000034
【図３３】
2006248106.tif 000035
【図３４】
2006248106.tif 000036
【図３５】
2006248106.tif 000037
【図３６】
2006248106.tif 000038
【図３７】
2006248106.tif 000039
【図３８】
2006248106.tif 000040
【図３９】
2006248106.tif 000041
【図４０】
2006248106.tif 000042
【図４１】
2006248106.tif 000043
【図４２】
2006248106.tif 000044
【図４３】
2006248106.tif 000045
【図４４】
2006248106.tif 000046
【図４５】
2006248106.tif 000047
【図４６】
2006248106.tif 000048
【図４７】
2006248106.tif 000049